(57)【要約】【課題】主表示パネルの交換が容易な遊技装置を提供する。【解決手段】水平面に対して若干傾斜する状態に開口し蓋体３２０にて開閉可能な作業開口３１０Ｃ１を有したテーブル型の筐体３１０内に、外周面に複数の絵柄を有したリール本体３７２Ｂ３を回転可能に備えた回胴ユニット３７０を着脱可能に配設する。蓋枠体３２０Ａを、正面側縁が略上下方向に回動可能に筐体３１０に軸支する。蓋枠体３２０下面に、同方向に回動可能に保持枠体３２０Ｂを軸支する。保持枠体３２０Ｂの上方に開口する装着凹部３２０Ｂ２に、主表示パネル３２９を収容し、蓋枠体３２０Ａおよび保持枠体３２０Ｂにて主表示パネル３２９を挾持して一体的に蓋体３２０を形成する。【選択図】  図９
2004275441.tif 000002
【特許請求の範囲】
【請求項１】
遊技を実行する遊技ユニットを収容可能で、この収容する遊技ユニットを臨む作業開口を有した筐体と、
この筐体に前記作業開口を開閉可能に閉塞して設けられ、前記遊技ユニットの遊技内容が視認可能に少なくとも一部が透光性の表示窓を有した略板状の表示パネルを着脱可能に装着する蓋体と、を具備し、
前記蓋体は、前記筐体の作業開口に対して回動可能な蓋枠体と、この蓋枠体の回動方向に沿って前記蓋枠体の裏面に対して相対的に回動可能な保持枠体とを備え、前記蓋枠体と前記保持枠体とにて前記表示窓を介して前記遊技内容が視認可能に前記表示パネルを挾持する
ことを特徴とした遊技装置。
【請求項２】
請求項１に記載の遊技装置において、
前記蓋体は、前記作業開口を閉塞した状態で、前記表示パネルの表示窓が水平面に対して略平行または水平面に対して略４５°以下に傾斜する状態に設けられた
ことを特徴とした遊技装置。
【請求項３】
請求項１または請求項２に記載の遊技装置において、
前記蓋体は、前記筐体の正面側に対応する縁が上下方向に回動する状態に前記筐体に軸支された
ことを特徴とした遊技装置。
【請求項４】
請求項３に記載の遊技装置において、
前記蓋体は、前記蓋枠体が前記筐体に軸支され、前記保持枠体が前記蓋枠体の裏面に前記蓋枠体の回動方向と同方向に回動可能に軸支されて一体的に構成された
ことを特徴とした遊技装置。
【請求項５】
請求項１ないし請求項４のいずれかに記載の遊技装置において、
前記蓋枠体は、裏面に前記保持枠体がねじ止めにて取り付けられる取付板が着脱可能に設けられた
ことを特徴とした遊技装置。
【請求項６】
請求項１ないし請求項５のいずれかに記載の遊技装置において、
前記筐体は、施錠係合部を有し、
前記蓋体は、前記作業開口を閉塞する状態で前記施錠係合部に係脱可能に係合する施錠手段が、前記保持枠体の回動する縁近傍の裏面に設けられた
ことを特徴とした遊技装置。
【請求項７】
請求項１ないし請求項６のいずれかに記載の遊技装置において、
前記保持枠体は、上方に向けて開口し前記表示パネルを上方から載置収容する収容凹部を有した
ことを特徴とした遊技装置。
【請求項８】
請求項１ないし請求項７のいずれかに記載の遊技装置において、
前記保持枠体は、裏面に遊技状況を表示する表示装置が設けられ、
前記蓋枠体は、前記表示装置による表示が前記表示パネルを介して視認可能に枠状に形成された
ことを特徴とした遊技装置。
【発明の詳細な説明】
【０００１】
【発明の属する技術分野】
本発明は、例えば、いわゆるスロットマシンや回胴式遊技機などの遊技装置に関する。
【０００２】
【背景技術】
従来、例えば一般的に「パチスロ」と称される回胴式遊技機や、いわゆるスロットマシンなどの遊技装置は、娯楽設備として広く知られている。そして、従来の遊技装置は、例えばコイン投入孔よりコインが投入されると遊技可能状態となり、所定のボタンスイッチやジョイスティックなどが操作されることで、外周面に各種絵柄が設けられたリールが回転する。そして、所定のボタンスイッチを操作することで、回転するリールを停止させ、絵柄の並び状態で適宜コインが払い出される構成となっている。
【０００３】
そして、従来の遊技装置において、特に回胴式遊技機では、コインの回収および払い出しをするコイン回収払出装置およびリールの回転を制御する回胴ユニットを収容する筐体と、この筐体の略前面を左右方向で開閉する蓋体とを備えた構成のものが、一般的に広く利用されている。
【０００４】
ところで、一般的に「ホール」と称される回胴式遊技機が設置された遊技場では、遊技意欲の低下を防止して、集客効率を高めるために、回胴式遊技機を数ヶ月の周期で順次新しい機種に設置替えしている。そして、設置が得られる回胴式遊技機は、別途回収されて他の「ホール」で再利用される場合もあるが、大半は産業廃棄物として処理されており、資源の有効利用が望まれている。そこで、回胴式遊技機の一部を交換する構成が知られている（例えば、特許文献１参照）。
【０００５】
この特許文献１に記載の回胴式遊技機は、前面を開放する筐体内にコインの回収および払い出しのための装置が組み付けられている。そして、筐体には、前面を開閉可能に閉塞する蓋体が、左右方向で回動可能に配設されている。また、蓋体の内面側には、回胴ユニットが配設されている。この回胴ユニットは、メインパネルと、制御基板と、この制御基板にて回転が制御される複数、例えば３つの回転可能なリールとを備えている。そして、回胴ユニットは、リールの外周面に設けられた複数の絵柄が、メインパネルを介して外面側から視認可能に配設されている。そして、回胴ユニット全体が、蓋体から交換可能となっている。この特許文献１に記載のように、演出や遊技性が異なる回胴ユニットに交換することで、例えば筐体や電源部などは再利用して別の回胴式遊技機を構成させ、資源の有効利用を図ることが考えられる。
【０００６】
しかしながら、この特許文献１に記載のものでは、メインパネル、制御基板およびリールなどの異なる部材がユニット化されているので、例えばリールを回動させる駆動手段など、再利用可能な部材は複数あり、さらなる資源の有効利用が望まれる。
【０００７】
【特許文献１】
特開２００２−７９７号公報（第３頁左欄−第４頁右欄、図４）
【０００８】
【発明が解決しようとする課題】
上述したように、特許文献１に記載のものでは、交換する構成が各種異なる部材にて構成されたユニットであることから、各部材のさらなる有効利用が望まれる。
【０００９】
本発明は、このような点に鑑みて、表示パネルの着脱が容易な遊技装置を提供することを目的とする。
【００１０】
【課題を解決するための手段】
請求項１に記載の発明は、遊技を実行する遊技ユニットを収容可能で、この収容する遊技ユニットを臨む作業開口を有した筐体と、この筐体に前記作業開口を開閉可能に閉塞して設けられ、前記遊技ユニットの遊技内容が視認可能に少なくとも一部が透光性の表示窓を有した略板状の表示パネルを着脱可能に装着する蓋体と、を具備し、前記蓋体は、前記筐体の作業開口に対して回動可能な蓋枠体と、この蓋枠体の回動方向に沿って前記蓋枠体の裏面に対して相対的に回動可能な保持枠体とを備え、前記蓋枠体と前記保持枠体とにて前記表示窓を介して前記遊技内容が視認可能に前記表示パネルを挾持することを特徴とした遊技装置である。
【００１１】
この発明では、遊技ユニットの遊技内容が視認可能に少なくとも一部が透光性の表示窓を有した略板状の表示パネルを着脱可能に装着し、筐体の収容する遊技ユニットを臨む作業開口を開閉可能に閉塞する蓋体として、作業開口に対して回動可能な蓋枠体と、蓋枠体の回動方向に沿って蓋枠体の裏面に対して相対的に回動可能な保持枠体とにて、表示窓を介して遊技内容が視認可能に表示パネルを挾持させる構成とする。このことにより、作業開口を開閉させる方向で蓋枠体と保持枠体とを近接する方向あるいは離間する方向に相対的に回動させる容易な操作で、表示パネルの挾持および挾持の解除が可能で、表示パネルの着脱が容易となる。
【００１２】
請求項２に記載の発明は、請求項１に記載の遊技装置において、前記蓋体は、前記作業開口を閉塞した状態で、前記表示パネルの表示窓が水平面に対して略平行または水平面に対して略４５°以下に傾斜する状態に設けられたことを特徴とする。
【００１３】
この発明では、蓋体が作業開口を閉塞した状態で、表示パネルの表示窓が水平面に対して略平行または水平面に対して略４５°以下に傾斜する状態で蓋体を設ける。このことにより、蓋体が上下方向に回動する構成となり、蓋枠体と保持枠体との相対的な回動方向も上下方向となるので、蓋枠体と保持枠体とにて表示パネルを挾持する方向も上下方向に略沿う状態となり、表示パネルの挾持を解除した際に保持枠体上に表示パネルが略載置する状態となり、表示パネルの着脱が容易となる。
【００１４】
請求項３に記載の発明は、請求項１または請求項２に記載の遊技装置において、前記蓋体は、前記筐体の正面側に対応する縁が上下方向に回動する状態に前記筐体に軸支されたことを特徴とする。
【００１５】
この発明では、筐体の正面側に対応する蓋体の縁が上下方向に回動する状態に蓋体を筐体に軸支する。このことにより、
蓋枠体と保持枠体との相対的な回動方向も上下方向となるので、蓋枠体と保持枠体とにて表示パネルを挾持する方向も上下方向に略沿う状態となり、表示パネルの挾持を解除した際に保持枠体上に表示パネルが略載置する状態となり、表示パネルの着脱が容易となる。
【００１６】
請求項４に記載の発明は、請求項３に記載の遊技装置において、前記蓋体は、前記蓋枠体が前記筐体に軸支され、前記保持枠体が前記蓋枠体の裏面に前記蓋枠体の回動方向と同方向に回動可能に軸支されて一体的に構成されたことを特徴とする。
【００１７】
この発明では、作業開口に対して回動可能な蓋枠体を筐体に軸支し、保持枠体を蓋枠体の裏面に蓋枠体の回動方向と同方向に回動可能に軸支して蓋体を一体的に構成する。このことにより、蓋枠体と保持枠体とが同方向で回動する状態に設ける構成が容易に得られ、蓋体の製造が容易となるとともに、筐体に蓋体を設ける作業も容易となり、構成の簡略化が容易に図れ、製造性が向上する。
【００１８】
請求項５に記載の発明は、請求項１ないし請求項４のいずれかに記載の遊技装置において、前記蓋枠体は、裏面に前記保持枠体がねじ止めにて取り付けられる取付板が着脱可能に設けられたことを特徴とする。
【００１９】
この発明では、蓋枠体の裏面に、保持枠体をねじ止めにて取り付ける取付板を着脱可能に設ける。このことにより、度重なる表示パネルの着脱により取付板が劣化しても取付板のみを交換すればよく、表示パネルを着脱可能に取り付ける蓋体の寿命の向上が簡単な構成で容易に得られる。
【００２０】
請求項６に記載の発明は、請求項１ないし請求項５のいずれかに記載の遊技装置において、前記筐体は、施錠係合部を有し、前記蓋体は、前記作業開口を閉塞する状態で前記施錠係合部に係脱可能に係合する施錠手段が、前記保持枠体の回動する縁近傍の裏面に設けられたことを特徴とする。
【００２１】
この発明では、蓋体が作業開口を閉塞する状態で、筐体の施錠係合部に係脱可能に係合する施錠手段を、保持枠体の回動する縁近傍の裏面に設ける。このことにより、蓋枠体および保持枠体を相対的に回動させて表示パネルを挾持する箇所に施錠手段が位置しないので、蓋体が大型化することなく蓋体の施錠が得られる。
【００２２】
請求項７に記載の発明は、請求項１ないし請求項６のいずれかに記載の遊技装置において、前記保持枠体は、上方に向けて開口し前記表示パネルを上方から載置収容する収容凹部を有したことを特徴とする。
【００２３】
この発明では、上方に向けて開口し表示パネルを上方から載置収容する収容凹部を保持枠体に設ける。このことにより、蓋枠体と保持枠体とを相対的に回動して離間させて表示パネルを取付・取り外し可能な状態とした際に、表示パネルが収容凹部に載置収容されて脱落が防止されるので、蓋枠体と保持枠体とにて表示パネルを挾持するまでに位置決め保持させておく別部材や操作が不要で、表示パネルの着脱が容易となる。
【００２４】
請求項８に記載の発明は、請求項１ないし請求項７のいずれかに記載の遊技装置において、前記保持枠体は、裏面に遊技状況を表示する表示装置が設けられ、前記蓋枠体は、前記表示装置による表示が前記表示パネルを介して視認可能に枠状に形成されたことを特徴とする。
【００２５】
この発明では、保持枠体の裏面に、遊技状況を表示する表示装置を設け、蓋枠体を表示装置による表示が表示パネルを介して視認可能に枠状に形成する。このことにより、遊技内容に近接して遊技状況を表示させることが簡単な構成で容易に得られる。
【００２６】
【発明の実施の形態】
以下、本発明における一実施の形態として遊技システムについて図面を参照して説明する。なお、本実施の形態では、いわゆる「パチスロ」と称される回胴式遊技装置を用いて説明するが、本発明は、回胴式遊技装置に限らず、例えばいわゆる「パチンコ」と称されるパチンコ式遊技装置、スロットマシン、業務用テレビゲーム機などにも適用できる。
【００２７】
〔遊技装置の構成〕
図１は、本実施の形態における台座板を省略した遊技システムを示す斜視図である。図２は、台座板を省略した遊技システムを示す正面図である。図３は、一部を省略した遊技システムを示す分解斜視図である。図４は、遊技装置を示す正面図である。図５は、遊技装置を示す左側側面図である。図６は、遊技装置を示す右側側面図である。図７は、遊技装置を示す背面図である。図８は、遊技装置を示す平面図である。図９は、遊技装置の蓋体を開放した状態を示す斜視図である。図１０は、遊技装置の正面蓋板部を取り外した状態を示す分解斜視図である。図１１は、図９における遊技装置の正面蓋板部を取り外した状態を示す斜視図である。図１２は、遊技装置を示す側面断面図である。図１３は、取付枠部と筐体との関係を示す分解斜視図である。図１４は、補給ホッパと補給ホッパ支持板との関係を示す斜視図である。図１５は、蓋体を示す分解斜視図である。図１６は、回胴ユニットを示す斜視図である。図１７は、リールユニットを示す分解側断面図である。図１８は、一部を切り欠いたリール部材を示す側面図である。図１９は、コイン貸出機と配給シュート部との関係を示す斜視図である。図２０は、配給シュート部近傍における一部を切り欠いた遊技媒体貸出装置を示す正面断面図である。図２１は、コイン取出用ボックスを示す斜視図である。
【００２８】
図１ないし図３において、１００は遊技システムで、この遊技システム１００は、台座板２００と、遊技装置３００と、遊技媒体貸出装置４００と、を備えている。台座板２００は、いわゆる「ホール」と称される店舗の床面上に設置され、遊技装置３００および遊技媒体貸出装置４００が載置される。遊技装置３００は、いわゆる「パチスロ」と称される回胴式遊技機で、遊技媒体である図示しないコインにより遊技される。遊技媒体貸出装置４００は、遊技装置３００にて遊技するためのコインを貸し出すための装置である。
【００２９】
（台座板の構成）
台座板２００は、図３に示すように、例えば鋼板にて形成され、略長方形の板状に形成された台板２１０を有している。この台板２１０の上面には、周縁に沿った位置に補強枠部２２０が一体的に設けられている。また、台板２１０の上面には、遊技装置３００および遊技媒体貸出装置４００が並設する状態の境界に対応する位置に補強架橋部２３０が一体的に設けられている。さらに、台板２１０の上面には、補強架橋部２３０の中間位置から補強枠部２２０の一縁の中間位置に架橋する状態に補強中間部２４０が一体的に設けられている。これら補強枠部２２０、補強架橋部２３０および補強中間部２４０は、例えば鋼材にて扁平の四角筒状に形成された部材にて形成されて台板２１０上に溶接にて一体的に設けられている。
【００３０】
また、台座板２００の台板２１０には、補強架橋部２３０に対して補強中間部２４０が設けられた側で補強中間部２４０に対して一側となる正面側の領域に、補強架橋部２３０の長手方向に沿って長手状の連通開口２５０が開口形成されている。さらに、補強中間部２４０の長手方向の両端近傍には、ホールの床面に突設されたナット２８０が螺着されるアンカーボルト２６０を挿通するボルト挿通孔２７０がそれぞれ開口形成されている。
【００３１】
（遊技装置の構成）
遊技装置３００は、図１ないし図１２に示すように、独立型、すなわちそれぞれ独立して床面上に設置される構成である。また、遊技装置３００は、テーブル型、すなわち水平面あるいは水平面に対して若干傾斜する面に遊技内容が表示される構成となっている。そして、遊技装置３００は、筐体３１０と、演出ユニット３３０と、操作手段３４０と、電源ユニット３５０と、遊技状況検出手段３６０と、遊技ユニットとしての回胴ユニット３７０と、遊技媒体搬入出ユニット３８０と、を備えている。
【００３２】
筐体３１０は、例えば一対の側板部３１１と、天板部３１２と、底板部３１３と、背面板部３１４と、枠体としての正面上板部３１５と、仕切板である上部仕切板３１６と、肘掛け部３１７と、ユニット載置板３１８と、正面蓋板部３１９と、蓋体３２０と、を備え、略テーブル型の箱状に構成されている。
【００３３】
側板部３１１には、例えば合板や集成材、オーエスビー（ＯＳＢ：Ｏｒｉｅｎｔｅｄ  Ｓｔｒａｎｄ  Ｂｏａｒｄ）などの改良木板にて板状に形成され、筐体３１０の側面を構成する。この側板部３１１は、略台形で上底に対応する縁が正面に向く状態に形成された側板本体部３１１Ａの上底の一縁に、正面方向に向けて舌片状に突出する肘掛け側面部３１１Ｂが一連に設けられている。また、側板部３１１には、側板本体部３１１Ａの一縁に、上方に向けて舌片状に突出する表示側面部３１１Ｃが一連に設けられている。なお、一対の側板部３１１の外方に臨む面には、塗装や化粧シートが貼り付けられて、化粧処理されている。
【００３４】
そして、一方である正面から見て右側に位置する側板部３１１には、図６および図８ないし図１１に示すように、肘掛け側面部３１１Ｂの基端部分に位置して、上方に向けて拡開するように凹状の連結切欠部３１１Ｄが切欠形成されている。この連結切欠部３１１Ｄの開口縁には、図示しない凹溝状の係合溝が形成されている。そして、連結切欠部３１１Ｄは、遮蔽板３１１Ｅが上下方向にスライド移動させることで着脱可能に取り付けられて閉塞される。この遮蔽板３１１Ｅは連結切欠部３１１Ｄに対応する略同形状の板状で、周縁に係合溝に係脱可能な図示しない係合リブが設けられている。
【００３５】
また、他方である正面から見て左側に位置する側板部３１１には、図１０に示すように、上底に対応する正面側縁の肘掛け側面部３１１Ｂの基端側に位置してスピーカなどの発音手段３１１Ｆを取り付けるスピーカ取付部材３１１Ｇがねじ止めなどにより一体的に取り付けられている。
【００３６】
天板部３１２は、図１ないし図１２に示すように、例えば側板部３１１と同様に改良木板などにて、側板部３１１の表示側面部３１１Ｃの上縁に対応する幅寸法で略長方形の板状に形成されている。そして、天板部３１２には長手方向の一縁に上方に向けてリブ状に突出する把手鍔部３１２Ａが設けられ、天板部３１２は断面略Ｌ字状に形成されている。この天板部３１２は、側板部３１１の表示側面部３１１Ｃの上縁に、例えば木ねじにて取り付けられ、筐体３１０の上面を構成する。なお、この天板部３１２も側板部と同様に、外方に臨む面には、化粧処理が施されている。
【００３７】
底板部３１３は、図１ないし図４および図９ないし図１２に示すように、例えば側板部３１１や天板部３１２と同様に改良木板などにて、側板部３１１の下縁寸法に対応する幅寸法で略長方形の板状に形成されている。この底板部３１３は、側板部３１１の下縁間に位置して、例えば側板部３１１の側面から木ねじにて取り付けられ、筐体３１０の底面を構成する。そして、底板部３１３には、図３に示すように、台座板２００の一対のボルト挿通孔２７０に対応してアンカーボルト２６０が挿通可能なボルト貫通孔３１３Ａが一対設けられている。また、底板部３１３の正面側の縁近傍には、図３、図１０および図１１に示すように、左右方向に沿って細長スリット状の係止溝部３１３Ｂが設けられている。
【００３８】
さらに、底板部３１３には、図３に示すように、正面から見た状態で左側の側縁近傍、すなわち台座板２００の連通開口２５０に対応する位置に前後方向に長手状の落下排出口３１３Ｃが開口形成されている。また、底板部３１３には、図３、図１０および図１１に示すように、落下排出口３１３Ｃを閉塞するレール部材３１３Ｄが設けられている。このレール部材３１３Ｄは、例えば鋼板などにて長手方向の両側が同方向に略垂直に折曲された断面略コ字状に形成され、落下排出口３１３Ｃを閉塞して前後方向に溝状に取り付けられる。
【００３９】
また、底板部３１３の正面縁には、図１２に示すように、例えばアルミニウム合金板やステンレス鋼板などにて折曲形成されたガイドレール部材３１３Ｄが取り付けられている。このガイドレール部材３１３Ｄは、底板部３１３の正面縁に沿いこの正面縁のほぼ全域に亘って上方に向けて開口する凹溝状のガイドレール３１３Ｄ１を有している。
【００４０】
さらに、底板部３１３の正面縁の両側近傍には、調整用孔３１３Ｇがそれぞれ開口形成されている。そして、底板部３１３には、調整用孔３１３Ｇに対応する位置に脚部材３１３Ｈが設けられている。この脚部材３１３Ｈは、脚部３１３Ｈ１と、支持台座部３１３Ｈ２と、規制部材としての例えばナット３１３Ｈ３と、を備えている。
【００４１】
脚部３１３Ｈ１は、棒鋼材の周面にナット３１３Ｈ３が螺着可能に雄ねじが螺刻されたアンカ部３１３Ｈ１ａの一端に、皿状の設置支持板３１３Ｈ１ｂが回転自在に設けられて構成されている。また、支持台座部３１３Ｈ２は、例えば鋼板にて形成され、支持天板３１３Ｈ２ａ、支持脚部３１３Ｈ２ｂおよび図示しない支持取付部を有し、断面略コ字状に形成されている。支持天板３１３Ｈ２ａは、略正方形の板状に形成され、略中央にアンカ部３１３Ｈ１ａが螺合する図示しない雌ねじが設けられている。支持脚部３１３Ｈ２ｂは、支持天板３１３Ｈ２ａの対向する一対の縁から同方向に略垂直に折曲された板状に形成されている。支持取付部は、支持脚部３１３Ｈ２ｂの先端に対向方向と反対側にそれぞれ折曲され、底板部３１３にねじ止めなどにより取付可能に板状に形成されている。
【００４２】
そして、脚部材３１３Ｈは、支持台座部３１３Ｈ２が調整用孔３１３Ｇを覆い正面側からアンカ部３１３Ｈ１ａが視認可能な向きで取り付けられ、アンカ部３１３Ｈ１ａの回転により設置支持板３１３Ｈ１ｂが上下方向に移動して調整用孔３１３Ｇから進退可能に配設されている。なお、アンカ部３１３Ｈ１ａには規制部材である例えばナット３１３Ｈ３が螺合され、ナット３１３Ｈ３を支持台座部３１３Ｈ２の支持天板３１３Ｈ２ａに締め付けるようにしてアンカ部３１３Ｈ１ａの回転が規制される。
【００４３】
そして、筐体３１０は、背面側の下端縁と脚部材３１３Ｈとにて、例えば「ホール」などの店舗の床面上に固定された台座板２００上に、底板部３１３が略水平面となる状態で載置され、アンカーボルト２６０にて固定される。
【００４４】
また、筐体３１０の背面板部３１４は、図７および図１２に示すように、例えば側板部３１１などと同様に改良木板などにて、上下方向に長手状で側板部３１１と略同高さ寸法で略長方形の板状に形成されている。この背面板部３１４は、側板部３１１の背面側の縁間に位置して、例えば側板部３１１の側面から木ねじにて取り付けられ、筐体３１０の背面を構成する。そして、この背面板部３１４および一対の側板部３１１にて本発明の区画形成体が構成される。また、背面板部３１４は、例えば下縁近傍で背面側から底板部３１３に木ねじが取り付けられて連結する。そして、背面板部３１４には、冷却のための通気孔３１４Ａと、ケーブル線や電源線などが挿通される図示しないケーブル挿通孔とが複数開口形成されている。さらに、背面板部３１４には、例えば筐体３１０の背面側を持ち上げるための図示しない把手孔が上下方向の両側縁近傍にそれぞれ位置して一対設けられている。
【００４５】
また、背面板部３１４には、供給投入孔３１４Ｄが１つ開口形成されている。そして、背面板部３１４の正面側となる内面には、図１２に示すように、供給投入孔３１４Ｄの開口縁に連続する状態でシュート部３８１が取り付けられている。このシュート部３８１は、例えばステンレス鋼板にて形成され、背面板部３１４の外方から供給投入孔３１４Ｄへ投入された図示しないコインを筐体３１０内の所定の位置に投入させる状態に設けられている。また、背面板部３１４の正面側となる内面には、側板部３１１の表示側面部３１１Ｃに対応する位置に照明装置３３１が配設されている。この照明装置３３１は、例えば蛍光ランプ３３１Ａと、この蛍光ランプ３３１Ａが着脱可能に装着され蛍光ランプ３３１Ａを点灯させる機器本体３３１Ｂと、を備え、蛍光ランプ３３１Ａの点灯により背面板部３１４の正面側を照光する。
【００４６】
さらに、筐体３１０内には、図１２に示すように、周縁がそれぞれ一対の側板部３１１、底板部３１３および背面板部３１４にねじ止めなどにより取り付けられる補強板部３２１が設けられている。この補強板部３２１は、例えば鋼板などにて折曲形成され、下部が背面板部３１４と略平行で下縁が底板部３１３に取り付けられる板状で、上部が背面板部３１４に向けて傾斜し上縁が背面板部３１４にねじ止めされる板状に形成されている。
【００４７】
正面上板部３１５は、図１ないし図４、図１０ないし図１２に示すように、例えば側板部などと同様に改良木板などにて細長い板状に形成され、側板部３１１の表示側面部３１１Ｃの正面側縁における上端および下端の位置で架橋する状態に一対設けられている。これら正面上板部３１５および側板部３１１にて、窓部としての副表示窓３１５Ａが開口形成される。これら正面上板部３１５は、例えば側板部３１１の側面から木ねじにて取り付けられ、副表示窓３１５Ａを開口する筐体３１０の正面側上面を構成する。そして、図１２に示すように、正面上板部３１５と一対の側板部３１１と背面板部３１４とにて上下方向に沿った角筒状で上面に作業口３１０Ａ１を開口する内部空間としての演出室３１０Ａが区画形成される。なお、これら正面上板部３１５についても、外方に臨む面には化粧処理が施されている。
【００４８】
また、上方に位置する正面上板部３１５の内面側には、略中央に図示しない点灯装置が配設されている。さらに、この正面上板部３１５の正面側には、図１ないし図６、図８および図１２に示すように、点灯装置を覆うランプカバー３１５Ｂが着脱可能に取り付けられている。
【００４９】
さらに、正面上板部３１５の背面側である内面側には、図１２および図１３に示すように、遊技機用表示パネル３２２を着脱可能に取り付ける取付枠部３２３が設けられている。取付枠部３２３は、例えば鋼板などの金属板にて折曲形成され、板状の挾持枠部３２３Ａと、段差部３２３Ｂと、配設板部３２３Ｃと、取付板部３２３Ｄと、案内部としての案内片部３２３Ｅと、設置部としての設置板部３２３Ｆと、を備えている。なお、配設板部３２３Ｃおよび取付板部３２３Ｄが本発明の取付部を構成する。
【００５０】
挾持枠部３２３Ａは、副表示窓３１５Ａと略同寸法の投光窓３２３Ａ１を開口する四角枠形状の板状に形成されている。段差部３２３Ｂは、挾持枠部３２３Ａの上下方向に沿う両側の縁から略同方向に略垂直にそれぞれ折曲形成されている。この段差部３２３Ｂの折曲される寸法は、挾持枠部３２３Ａと正面上板部３１５との間の寸法が遊技機用表示パネル３２２の厚さ寸法と略同寸法、あるいは若干広い寸法となるように設定されている。配設板部３２３Ｃは、段差部３２３Ｂの先端縁から対向方向と反対側に向けて略垂直に折曲されている。取付板部３２３Ｄは、配設板部３２３Ｃの先端縁から段差部３２３Ｂとは反対方向に略垂直に折曲されている。この取付板部３２３Ｄの外面側間における幅寸法は、筐体３１０の側板部３１１の対向する内面間の距離と略同寸法に折曲形成されている。案内片部３２３Ｅは、挾持枠部３２３Ａの上縁に段差部３２３Ｂとは反対方向に略垂直にフランジ状に折曲形成されている。設置板部３２３Ｆは、挾持枠部３２３Ａの下縁に段差部３２３Ｂとは反対方向に略垂直にフランジ状に折曲形成されている。
【００５１】
そして、取付枠部３２３の配設板部３２３Ｃには、スピーカやブザーなどの発音手段３３２、および、図示しないランプや発光ダイオードなどの光源あるいは光源を保持するランプホルダなどが、正面に向けて発音あるいは発光する状態に背面側からねじ止めなどにより取り付けられている。さらに、配設板部３２３Ｃには、正面側の面に装飾部材としてのパンチングメタル３２３Ｉが取り付けられている。このパンチングメタル３２３Ｉは、配設板部３２３Ｃの幅寸法と略同寸法で、長手方向の寸法が一対の正面上板部３１５間の寸法と略同寸法に形成され、発音手段３３２や光源などを正面側で覆う状態に配設板部３２３Ｃの背面側からねじ止めなどにより取り付けられている。すなわち、発音手段３３２による発音や光源から照射される光は、パンチングメタル３２３Ｉを介して正面側で聴認および視認可能となっている。さらに、取付枠部３２３の設置板部３２３Ｆには、投光窓３２３Ａ１に対して所定の位置に正面に向けて画像データなどを表示させる副表示装置３３４や光源などが配設されている。
【００５２】
そして、取付枠部３２３は、取付板部３２３Ｄが側板部３１１の内面側に例えば木ねじにより取り外し可能に取り付けられる。この取付枠部３２３の取付は、図１ないし図４および図１２に示すように、パンチングメタル３２３Ｉが一対の正面上板部３１５間に介在して副表示窓３１５Ａに係合する状態で取り付ける。すなわち、パンチングメタル３２３Ｉが取付枠部３２３の取付の際の位置決めとなる。この取付枠部３２３の取付により、取付枠部３２３の挾持枠部３２３Ａと段差部３２３Ｂと正面上板部３１５とにて囲まれた保持空間３１０Ｂが区画形成される。また、取付枠部３２３の上端縁が上方に位置する正面上板部３１５の上端縁と略同等の高さ位置となり、正面上板部３１５、挾持枠部３２３Ａおよび段差部３２３Ｂに囲まれた上端縁が、遊技機用表示パネル３２２を保持空間３１０Ｂ内に取り付けるための取付挿入口３１０Ｂ１が保持空間３１０Ｂに連通するとともに、筐体３１０の上面の作業口３１０Ａ１に略面一に開口する状態となる。また、取付挿入口３１０Ｂ１に臨む案内片部３２３Ｅの基端縁は、加工の特性上の理由により曲面状となっている。このため、案内片部３２３Ｅは、遊技機用表示パネル３２２の取付挿入口３１０Ｂ１への挿入を案内する。
【００５３】
なお、遊技機用表示パネル３２２は、例えばアクリル板などにて略長方形板状に形成され、少なくとも一部が透光可能に遊技装置３００の遊技内容に関連した図示しない表示などが印刷形成されている。なお、表示としては、例えば遊技内容についてイメージされた絵柄、遊技装置３００の名称に関する絵柄、遊技方法や当たりに関する表示などが例示できる。また、遊技機用表示パネル３２２は、薄板状であるシート状でもよい。そして、遊技機用表示パネル３２２は、背面板部３１４に配設された照明装置３３１の蛍光ランプ３３１Ａの点灯により、印刷が浮かび上がる状態で印刷内容を表示する。また、遊技機用表示パネル３２２には、略中央の下縁部側に変位する位置に、この遊技機用表示パネル３２２を介して副表示装置３３４や光源３３３などの表示や発光状態が視認可能な副表示窓３２２Ａを形成する状態に印刷が施されている。そして、この遊技機用表示パネル３２２と、背面板部３１４に配設された照明装置３３１と、取付枠部３２３に配設された副表示装置３２４と、取付枠部３２３に配設された発音手段３３２および光源３３３とにより、演出室３１０Ａ内に収容される演出ユニット３３０が構成される。この演出ユニット３３０は、演出室３１０Ａの上面の作業口３１０Ａ１を介して保守点検、すなわち点検、修理、交換などが可能となっている。
【００５４】
上部仕切板３１６は、図１２に示すように、例えば側板部３１１などと同様に改良木板などにて、図示しない通気口を複数開口する板状に形成されている。この上部仕切板３１６は、側板部３１１の表示側面部３１１Ｃの側板本体部３１１Ａに対する基端部分間に架橋する棚状にねじ止めなどにより取り付けられている。そして、この上部仕切板３１６と、側板部３１１、天板部３１２、正面上板部３１５および背面板部３１４とにより、演出室３１０Ａが筐体３１０内に区画形成される。すなわち、上部仕切板３１６は、取付枠部３２３の取付により区画される保持空間３１０Ｂの下方も閉塞し、保持空間３１０Ｂ内に収容される遊技機用表示パネル３２２の下端を載置する状態に保持する。そして、この演出室３１０Ａ内に演出ユニット３３０が収容される状態となる。
【００５５】
肘掛け部３１７は、図１ないし図４および図８ないし図１２に示すように、例えば改良木材などを用いて側板部３１１の肘掛け側面部３１１Ｂの周縁に沿うように略筒状に形成されている。そして、肘掛け部３１７は、例えば側板部３１１の肘掛け側面部３１１Ｂの側面から木ねじにて取り付けられ、肘掛け可能となっている。この肘掛け部３１７の外周面には、側板部３１１の肘掛け側面部３１１Ｂの先端側に対応する位置でクッション部材３１７Ａが取り付けられている。また、肘掛け部３１７の下縁には、図１２に示すように、例えば鋼板などにて形成された錠取付板３１７Ｂがねじ止めなどにより取り付けられている。この錠取付板３１７Ｂには、図示しない錠係脱孔が設けられている。
【００５６】
さらに、肘掛け部３１７のクッション部材３１７Ａにて覆われていない外周上面部分には、図１、図３および図９ないし図１２に示すように、例えばステンレス鋼板などの化粧板３１７Ｃが設けられている。そして、この化粧板３１７Ｃが取り付けられた肘掛け部３１７の上面部分には、遊技の際に利用される複数の操作ボタン３４１を有した操作手段３４０が配設されている。
【００５７】
また、肘掛け部３１７には、図９ないし図１１に示すように、化粧板３１７Ｃの一側である正面から見た右側に位置して、上方に向けて開口するコイン受け皿部３１７Ｄが区画形成されている。このコイン受け皿部３１７Ｄは、例えばステンレス鋼板などにて上面および一側面に亘って開口する略箱状に形成されている。そして、コイン受け皿部３１７Ｄは、開口する一側面が側板部３１１の遮蔽板３１１Ｅにて閉塞される連結切欠部３１１Ｄに対応する位置、すなわち連結切欠部３１１Ｄの縁に内面が略連続する状態で配設されている。また、コイン受け皿部３１７Ｄには、コインが払い出されるコイン排出口３１７Ｄ１と、コインが返却される返却口３１７Ｄ２と、が開口形成されている。そして、コイン受け皿部３１７Ｄには、コイン排出口３１７Ｄ１および返却口３１７Ｄ２の周縁に外部である背面側に向けて切り起こされシュート状に形成された案内シュート部３１７Ｄ３がそれぞれ設けられている。
【００５８】
ユニット載置板３１８は、図１２に示すように、例えば側板部３１１などと同様に改良木板などにて略板状に形成された、ユニット載置面部３１８Ａと、基板載置板部３１８Ｂと、ユニット押さえ板部３１８Ｃと、を備えている。
【００５９】
ユニット載置面部３１８Ａは、上部仕切板３１６と略同横幅寸法に略長方形の板状に形成されている。そして、ユニット載置面部３１８Ａは、側面が側板部３１１にねじ止めなどにより取り付けられるとともに背面が背面板部３１４にねじ止めなどにより取り付けられている。この取り付けられた状態では、ユニット載置面部３１８Ａは、正面上板部３１５の下縁と肘掛け部３１７間に開口する作業開口３１０Ｃ１の下方に位置し、背面側の縁が正面側の縁の位置より高さ位置が高い傾斜する状態で側板部３１１間に棚状に配設されている。
【００６０】
基板載置板部３１８Ｂは、ユニット載置面部３１８Ａの横幅寸法と略同寸法でかつユニット載置面部３１８Ａの前後方向における幅寸法より幅狭の板状で、正面側の縁がユニット載置面部３１８Ａの上面に連続するとともに背面側の縁が上部仕切板３１６の下面に連続する状態に傾斜して形成されている。そして、基板載置板部３１８Ｂは、ユニット載置面部３１８Ａの背面板部３１４側に位置してユニット載置面部３１８Ａよりさらに傾斜する状態にユニット載置面部３１８Ａ、背面板部３１４および側板部３１１にそれぞれねじ止めや接着剤による接着などにより取り付けられる。
【００６１】
ユニット押さえ板部３１８Ｃは、ユニット載置面部３１８Ａの横幅寸法と略同寸法の長方形の板状に形成されている。そして、ユニット押さえ板部３１８Ｃは、ユニット載置面部３１８Ａの正面側の一側面に長手方向の一縁が連続する状態で上方に向けて略垂直に連結され、ユニット載置面部３１８Ａに対して略Ｌ字状に連結する状態に取り付けられている。
【００６２】
そして、ユニット載置板３１８は、図９および図１１に示すように、作業開口３１０Ｃ１を介して基板載置板部３１８Ｂが外部から視認可能に筐体３１０内に配設されている。このユニット載置板３１８により、筐体３１０内には、ユニット載置板３１８の上方に作業開口３１０Ｃ１に連通するユニット室３１０Ｃが区画形成されるとともに、ユニット載置板３１８の下方に上方が作業開口３１０Ｃ１の正面側の一部に連通するコイン貯留室３１０Ｄが区画形成されている。そして、ユニット室３１０Ｃには回胴ユニット３７０、電源ユニット３５０および遊技状況検出手段３６０が収容され、コイン貯留室３１０Ｄには遊技媒体搬入出ユニット３８０が収容される。
【００６３】
また、ユニット載置板３１８には、ユニット押さえ板部３１８Ｃの下面後縁側に、背面板部３１４に設けられたシュート部３８１の正面側の端部近傍を吊り下げ支持する図示しない吊り下げ支持具が設けられている。さらに、ユニット載置板３１８には、ユニット押さえ板部３１８Ｃの下面に吊り下げ支持具３２５に近接する位置に、図１２に示すように、例えば鋼板製の吊り下げ保持具３２６が設けられている。この吊り下げ保持具３２６には、略上下方向に貫通する図示しない爪係合孔が一対開口形成されている。また、ユニット載置板３１８には、ユニット押さえ板部３１８Ｃの下面正面側と肘掛け部３１７の背面側の端面となる内面側との間に架橋する状態に補給ホッパ支持板３２７が取り付けられている。
【００６４】
そして、補給ホッパ支持板３２７は、図１２および図１４に示すように、例えば鋼板などにて形成され、貫通保持板部３２７Ａと、取付片部３２７Ｂと、係止板部３２７Ｃと、係止片部３２７Ｄと、を備えている。貫通保持板部３２７Ａは長方形板状に形成され、略中央に略四角形状に貫通孔３２７Ａ１が開口形成されている。また、貫通保持板部３２７Ａには、貫通孔３２７Ａ１の両側に位置して図示しないねじ止め孔がそれぞれ設けられている。取付片部３２７Ｂは、貫通保持板部３２７Ａの一縁に連続して長方形板状に折曲形成されている。係止板部３２７Ｃは、貫通保持板部３２７Ａの取付片部３２７Ｂと反対側の縁に連続して略垂直に折曲されて長方形板状に形成されている。係止片部３２７Ｄは、係止板部３２７Ｃの貫通保持板部３２７Ａに対して反対側の縁に連続し貫通保持板部３２７Ａに対して反対側に向けて略垂直に折曲された細長板状に形成されている。そして、補給ホッパ支持板３２７は、取付片部３２７Ｂがユニット押さえ板部３１８Ｃにねじ止めなどにより取り付けられ、係止片部３２７Ｄが肘掛け部３１７にねじ止めなどにより取り付けられて、コイン貯留室３１０Ｄの上方の一部を閉塞する状態に筐体３１０内に配設されている。また、補給ホッパ支持板３２７の係止片部３２７Ｄには、コイン受け皿部３１７Ｄ側の一縁近傍に位置して、施錠係合部としての第２の錠係脱孔３２７Ｄ１が開口形成されている。
【００６５】
筐体３１０の正面蓋板部３１９は、図１、図２、図４、図９および図１２に示すように、例えば側板部３１１などと同様に改良木板などにて、側板部３１１の肘掛け側面部３１１Ｂから下方に位置する側板本体部３１１Ａの上底の縁寸法に略同寸法の幅寸法で略長方形の板状に形成されている。この正面蓋板部３１９には、上縁近傍の略中央に位置して第１の施錠装置３１９Ａが設けられている。また、正面蓋板部３１９には、上縁の一側近傍には、側板部３１１に取り付けられたスピーカ取付部材３１１Ｇに対応する位置に、例えばパンチングメタルなどのカバー部材３１９Ｂにて閉塞された開口部３１９Ｃが設けられている。そして、正面蓋板部３１９は、下縁が底板部３１３のガイドレール部材３１３Ｄのガイドレール３１３Ｄ１に係脱可能に係合し、第１の施錠装置３１９Ａが肘掛け部３１７に設けられた錠取付板３１７Ｂの錠係脱孔に係脱可能に係合し、筐体３１０の正面下側に臨むコイン貯留室３１０Ｄの正面の開口３１０Ｄ１を開閉可能に閉塞して筐体３１０を構成する。
【００６６】
蓋体３２０は、図１ないし図４、図８ないし図１１、図１２および図１５に示すように、正面上板部３１５の下縁と肘掛け部３１７間に開口する作業開口３１０Ｃ１を開閉可能に設けられている。この蓋体３２０は、蓋枠体３２０Ａと、保持枠体３２０Ｂと、を有している。
【００６７】
蓋枠体３２０Ａは、例えば鋼板などにて形成され、正面上板部３１５側に従って幅広となる略等脚台形状の主表示窓３２０Ａ１を開口する四角枠状に形成されている。この蓋枠体３２０Ａは、正面上板部３１５の下縁に正面側縁が上下方向に回動可能に、上部仕切板３１６の下面における正面側の縁近傍に図示しないヒンジ部材や蝶番などにて背面側の端面が軸支されている。そして、蓋枠体３２０Ａの内面側には、主表示窓３２０Ａ１の開口縁に略沿って凹溝状の図示しない取付溝が設けられている。この取付溝は、開口縁が互いに対向する方向に折曲する状態に図示しない取付片部を有し、内部に合板などの木板にて形成された取付板３２０Ａ２が脱落することなく装着可能となっている。なお、取付片部間の寸法は幅広に変更可能で、取付板３２０Ａ２を交換可能となっている。また、蓋枠体３２０Ａには、錠挿通孔３２０Ａ３が開口形成されている。さらに、蓋枠体３２０Ａの正面から見て右側縁近傍には、ユニット載置板３１８に下端が取り付けられた油圧式あるいは空圧式などのシリンダ３２０Ｃの上端が取り付けられている。そして、蓋枠体３２０Ａは、シリンダ３２０Ｃの伸縮特性により、回動可能でかつ回動状態が保持される。
【００６８】
さらに、蓋枠体３２０Ａの上面には、回動する側の縁で正面から見た右側に位置してコインが投入されるコイン投入孔３２０Ａ４ａを開口するコイン投入ガイド部材３２０Ａ４が設けられている。また、コイン投入ガイド部材３２０Ａ４の近傍には、コイン投入孔から投入されたコインを返却させるための返却用ボタン３２０Ａ４ｂが配設されている。
【００６９】
保持枠体３２０Ｂは、例えば鋼板などにて蓋枠体３２０Ａの主表示窓３２０Ａ１に対応する略等脚台形状に形成されている。この保持枠体３２０Ｂの周縁は、一面側に折曲され、さらに先端が外周側に向けて折曲されて蓋枠体３２０Ａの取付板３２０Ａ２に対応する取付フランジ部３２０Ｂ１が設けられている。この取付フランジ部３２０Ｂ１には、蓋枠体３２０Ａの取付板３２０Ａ２に例えば木ねじにて取り付けられて保持枠体３２０Ｂを蓋枠体３２０Ａに固定するためのねじ孔３２０Ｂ１ａが複数設けられている。また、保持枠体３２０Ｂの下面である取付フランジ部３２０Ｂ１が折曲する側と反対側の面には、主表示窓３２０Ａ１の前後方向の両側縁に沿って下方に向けて目隠し板３２０Ｂ２がそれぞれ突設されている。この目隠し板３２０Ｂ２の先端縁は、円弧凹状に形成されている。
【００７０】
そして、保持枠体３２０Ｂは、取付フランジ部３２０Ｂ１により薄皿状に形成されて内側に収容凹部としての装着凹部３２０Ｂ３を区画形成している。この装着凹部３２０Ｂ３には、略中央に主窓部３２０Ｂ４が開口形成されている。そして、装着凹部３２０Ｂ３内には、略同形状の主表示パネル３２９が着脱可能に収容される。なお、主表示パネル３２９には、遊技機用表示パネル３２２と同様にアクリル板などにて板状に形成されている。そして、主表示パネル３２９には、少なくとも一部がこの主表示パネル３２９および主窓部３２０Ｂ４を介して視認可能とする表示窓であるリール表示窓３２９Ａおよび図示しない遊技状況表示窓を形成する状態で各種絵柄などが印刷形成されている。そして、保持枠体３２０Ｂは、蓋枠体３２０Ａの主表示窓３２０Ａ１の形状に対応して下方から覆うように下底に対応する一縁側が蓋枠体３２０Ａの背面側の縁近傍の下面に回動可能に蝶番などにて軸支されて取り付けられている。
【００７１】
さらに、保持枠体３２０Ｂには、大きさおよび形状の異なる各種の表示用孔３２０Ｂ５が主表示パネル３２９の遊技状況表示窓に対応する位置に複数形成されている。そして、保持枠体３２０Ｂの下面である蓋枠体３２０Ａと反対側の面には、回路基板３２０Ｄが複数取り付けられている。この回路基板３２０Ｄは、保持枠体３２０Ｂの表示用孔３２０Ｂ５にそれぞれ対応して位置し各種遊技状況を主表示パネル３２９の遊技状況表示窓を介して表示させる各種の表示装置３２０Ｄ１が複数搭載されている。
【００７２】
さらに、保持枠体３２０Ｂには、施錠手段としての第２の施錠装置３２０Ｅが蓋枠体３２０Ａに対して回動する側の一縁近傍に位置して配設されている。この第２の施錠装置３２０Ｅは、錠取付板部３２０Ｅ１と、施錠部３２０Ｅ２と、フック部３２０Ｅ３と、を備えている。錠取付板部３２０Ｅ１は、例えば鋼板にて形成された細長板状に形成され、保持枠体３２０Ｂに取り付けられる。施錠部３２０Ｅ２は、錠取付板部３２０Ｅ１の長手方向の一端近傍に位置して蓋枠体３２０Ａの錠挿通孔３２０Ａ３に挿通可能に配設されている。フック部３２０Ｅ３は、施錠部３２０Ｅ２に装着される図示しない鍵の操作により、ユニット載置板３１８および肘掛け部３１７間に配設された補給ホッパ支持板３２７の係止片部３２７Ｄにおける正面から見て左側の縁および第２の錠係脱孔３２７Ｄ１に係脱可能に構成されている。そして、保持枠体３２０Ｂが蓋枠体３２０Ａに一体的に取り付けられて構成された蓋体３２０は、第２の施錠装置３２０Ｅにより筐体３１０の作業開口３１０Ｃ１を開閉可能に閉塞する。
【００７３】
そして、ユニット室３１０Ｃ内に収容される電源ユニット３５０は、図９および図１１に示すように、ユニット載置板３１８上で正面から見て右側に位置する状態に配設されている。この電源ユニット３５０は、例えば背面板部３１４の図示しないケーブル挿通孔を介して筐体３１０の外部から挿通された図示しない電源線が接続され、遊技装置３００を動作させる電力を供給する。すなわち、電源ユニット３５０は、遊技状況検出手段３６０、回胴ユニット３７０、遊技媒体搬入出ユニット３８０、演出ユニット３３０に電力を供給して動作させる。また、電源ユニット３５０には、遊技性を設定、具体的には大当たりのしやすさを段階的に設定するための図示しない遊技性設定回路が組み込まれている。
【００７４】
さらに、ユニット室３１０Ｃ内に収容される遊技状況検出手段３６０は、図９および図１１に示すように、ユニット載置板３１８上で例えば電源ユニット３５０の背面側に位置して配設されている。この遊技状況検出手段３６０は、詳細は後述するが、遊技媒体搬入出ユニット３８０のコイン判別手段３８６を構成するセレクタ部３８６Ａから、あるいは回胴ユニット３７０の主制御基板３７３から、遊技用のコインを取得した旨の信号を認識する。また、遊技状況検出手段３６０は、遊技媒体搬入出ユニット３８０のコイン搬送手段３８２を構成する計数手段３８２Ｄから、あるいは主制御基板３７３から、遊技媒体搬入出ユニット３８０から払い出されたコインの枚数に関する信号を取得する。そして、遊技状況検出手段３６０は、取得した信号に基づいて、その遊技装置３００で回収したコインの総枚数などを判断して遊技装置３００の状況を判断する。さらに、遊技状況検出手段３６０は、遊技状況に関する信号を、例えば店舗に設置され各遊技装置３００からの情報を統括する図示しない管理システムに出力する。なお、遊技状況に関する信号を管理システムに出力しなくてもよく、例えば遊技状況に関する情報を記憶し、店舗の運営時間の終了後に端末装置などを用いて記憶した遊技状況に関する情報を端末装置に取り出すなどしてもよい。
【００７５】
また、ユニット室３１０Ｃ内に着脱可能に収容される回胴ユニット３７０は、図３、図９、図１１、図１２および図図１６に示すように、ユニットケース３７１と、リールユニット３７２と、主制御基板３７３と、副制御基板３７４と、を備えている。
【００７６】
ユニットケース３７１は、例えば鋼板などにて折曲形成され、本体面部３７１Ａと、支持面部３７１Ｂと、一対の側面部３７１Ｃと、基板取付部３７１Ｄと、を備えている。本体面部３７１Ａは、略長方形の板状に形成されている。支持面部３７１Ｂは、本体面部３７１Ａの長手方向の一縁に連続して略垂直に折曲されて長方形の板状に形成されている。この支持面部３７１Ｂは、本体面部３７１Ａに対する高さ寸法がユニット載置板３１８のユニット載置面部３１８Ａの上面からユニット押さえ板部３１８Ｃの高さ寸法と略同寸法に形成されている。また、支持面部３７１Ｂの先端縁には、本体面部３７１Ａと反対側に略垂直に折曲され、ユニット押さえ板部３１８Ｃの先端面にねじ止めなどにて取付可能にフランジ板部３７１Ｂ１が形成されている。側面部３７１Ｃは、本体面部３７１Ａの長手方向の両端縁に連続して支持面部３７１Ｂと同方向に略垂直にそれぞれ折曲形成されている。基板取付部３７１Ｄは、本体面部３７１Ａの支持面部３７１Ｂと反対側の縁に連続して傾斜する状態に折曲形成されている。この基板取付部３７１Ｄの傾斜する状態は、ユニット載置板３１８のユニット載置面部３１８Ａに対する基板載置板部３１８Ｂの傾斜角度と略同寸法の角度に設定される。この基板取付部３７１Ｄには、内部が視認可能な透光性の基板収容ケース３７１Ｅが着脱可能に取り付けられている。そして、ユニットケース３７１は、ユニット室３１０Ｃ内に電源ユニット３５０に隣接する状態でユニット載置板３１８上にユニット載置面部３１８Ａおよびユニット押さえ板部３１８Ｃにて支持される状態にねじ止めなどにより取り外し可能に取り付けられる。
【００７７】
リールユニット３７２は、図１６および図１７に示すように、リールボックス３７２Ａと、複数例えば３つのリール部材３７２Ｂと、複数例えば４つのシールド部材３７２Ｃと、を備えている。リールボックス３７２Ａは、例えば鋼板などに上面を開口する略直方体形状の箱状に形成されている。また、リールボックス３７２Ａの長手方向の開口両側縁には、外方に向けて略垂直に折曲されたリール取付片３７２Ａ１が一連に折曲形成されている。さらに、リールボックス３７２Ａの長手方向の両端縁近傍の略中央には、図１２に示すように、内方に向けて略垂直に図示しない把手片部が切り起こし形成され、把手孔３７２Ａ２が開口形成されている。さらに、リールボックス３７２Ａの底面近傍の側面には、図１７に示すように、配線孔３７２Ａ２が開口形成されている。
【００７８】
また、リール部材３７２Ｂは、図１７および図１８に示すように、取付支持板部３７２Ｂ１と、駆動手段としてのモータ３７２Ｂ２と、リール本体３７２Ｂ３と、回転位置検出手段３７２Ｂ４と、投光手段３７２Ｂ５と、を備えている。
【００７９】
取付支持板部３７２Ｂ１は、例えば鋼板などにて略長方形の板状に形成されている。この取付支持板部３７２Ｂ１の略中央には、この取付支持板部３７２Ｂ１の長手方向に沿って対向する状態に一面側にそれぞれ切り起こし形成され、さらに先端縁が対向する方向にそれぞれ略垂直に折曲されて断面略Ｌ字状に形成された一対のモータ取付片３７２Ｂ１ａが設けられている。また、取付支持板部３７２Ｂ１の長手方向の両側には、同方向に略垂直に折曲形成された図示しない補強片部が一連に設けられている。さらに、取付支持板部３７２Ｂ１の長手方向の一縁には、側方に向けて舌片状に突出する取付舌片部３７２Ｂ１ｂが一連に設けられている。また、取付支持板部３７２Ｂ１の長手方向の両端には、補強片部と反対側に向けて略垂直に折曲形成された取付片部３７２Ｂ１ｃが一連に設けられている。この取付片部３７２Ｂ１ｃの一側縁には、取付支持板部３７２Ｂ１の長手方向に沿って外方に略垂直に折曲形成された取付爪部３７２Ｂ１ｄが一連に設けられている。そして、この取付爪部３７２Ｂ１ｄには、ねじ３７２Ｂ１ｅが取り付けられる図示しないねじ孔が設けられている。
【００８０】
モータ３７２Ｂ２は、取付支持板部３７２Ｂ１の一対のモータ取付片３７２Ｂ１ａに跨る状態で、かつ出力軸３７２Ｂ２ａが取付支持板部３７２Ｂ１の厚さ方向に軸方向を有する状態に、ねじ止めなどにより取り付けられている。そして、モータ３７２Ｂ２の略円柱状のモータ本体部３７２Ｂ２ｃの軸方向の一端面から同軸上に突出する出力軸３７２Ｂ２ａには、リール取付治具３７２Ｂ６が例えば芋ねじ３７２Ｂ７などにより一体的に取り付けられている。このリール取付治具３７２Ｂ６は、例えば鋼材にて略円筒状で軸方向の一端面が軸方向に対して略垂直面に形成された胴体部３７２Ｂ６ａの一端縁に、径大で一端面に連続した平面を有する鍔部３７２Ｂ６ｂを有している。そして、リール取付治具３７２Ｂ６は、モータ３７２Ｂ２の出力軸３７２Ｂ２ａが突出する面から、胴体部３７２Ｂ６ａの一端面が所定の位置に取り付けられる。すなわち、リール本体３７２Ｂ３が取り付けられる平面がモータ３７２Ｂ２の出力軸３７２Ｂ２ａが突出する端面から所定の距離となる位置に取り付けられる。
【００８１】
リール本体３７２Ｂ３は、リール枠体３７２Ｂ３ａと、リール支持枠体３７２Ｂ３ｂと、絵柄フィルム３７２Ｂ３ｃと、を備えている。リール枠体３７２Ｂ３ａは、例えば合成樹脂にて略同形状に形成されている。そして、リール枠体３７２Ｂ３ａの一側面には、図示しないフィルム位置決め凸部が例えば１個突設されている。
【００８２】
リール支持枠体３７２Ｂ３ｂは、例えばリール枠体３７２Ｂ３ａと同様に合成樹脂にて形成され、略円板状の円板部Ｂ３ｂ１を有している。この円板部Ｂ３ｂ１には、モータ３７２Ｂ２に取り付けられたリール取付治具３７２Ｂ６にねじ止めするためのねじ孔Ｂ３ｂ１１が複数、例えば４つ設けられている。そして、円板部Ｂ３ｂ１の外周面には、放射状に複数、例えば４本のスポーク部Ｂ３ｂ２が一連に設けられている。これらスポーク部Ｂ３ｂ２は、基端が円板部Ｂ３ｂ１の一面側に向けて傾斜するとともに先端側は円板部Ｂ３ｂ１の一面に対して略面一となるように屈曲する状態に形成されている。そして、１つのスポーク部Ｂ３ｂ２には、基端が傾斜する側と反対側に突出する位置検出板Ｂ３ｂ３が突設されている。この位置検出板Ｂ３ｂ３は、例えば金属製でリール支持枠体３７２Ｂ３ｂのインサート成形にて一体的に突出形成あるいは接着などにより突設される。さらに、スポーク部Ｂ３ｂ２の先端部には、円板部Ｂ３ｂ１と同中心となる位置関係で略リング状に形成されたリール枠体３７２Ｂ３ａと同様のリング部Ｂ３ｂ４が設けられている。そして、リング部Ｂ３ｂ４の一側面には、略等間隔に位置決め凸部Ｂ３ｂ５が複数、例えば２１個突設されている。これら位置決め凸部Ｂ３ｂ５の１つは他と形状が異なるリール枠体３７２Ｂ３ａと同様の図示しないフィルム位置決め凸部となっている。
【００８３】
絵柄フィルム３７２Ｂ３ｃは、帯状に形成された合成樹脂フィルムの一面に、背面からの照光により浮かび上がる図示しない絵柄が長手方向で所定間隔に複数、例えば２１個印刷形成されている。そして、絵柄フィルム３７２Ｂ３ｃは、同軸上でフィルム位置決め凸部が対向する状態に配置されたリール枠体３７２Ｂ３ａとリール支持枠体３７２Ｂ３ｂとの略外周面間に周方向に沿って貼り付けられている。この絵柄フィルム３７２Ｂ３ｃの貼付は、一端側をフィルム位置決め凸部からリール支持枠体３７２Ｂ３ｂおよびリール枠体３７２Ｂ３ａの外周面間で巻始めて位置決め凸部Ｂ３ｂ５間に各絵柄が位置するように貼り付け、リール本体３７２Ｂ３を構成させる。
【００８４】
回転位置検出手段３７２Ｂ４は、例えば図示しない発光部および受光部が対向するフォトセンサが搭載された図示しない回路基板を有している。そして、回転位置検出手段３７２Ｂ４は、取付支持板部３７２Ｂ１の所定の位置に配設されている。すなわち、モータ３７２Ｂ２にリール取付治具３７２Ｂ６にて取り付けられたリール本体３７２Ｂ３がモータ３７２Ｂ２の駆動にて回転することで、リール本体３７２Ｂ３のスポーク部Ｂ３ｂ２に設けられた位置検出板Ｂ３ｂ３が回転位置検出手段３７２Ｂ４の発光部および受光部間を通過する状態に配設されている。そして、回転位置検出手段３７２Ｂ４は、リール本体３７２Ｂ３の位置検出板Ｂ３ｂ３の通過を検出すると、所定の信号を出力する。
【００８５】
投光手段３７２Ｂ５は、例えば合成樹脂製のソケットケース３７２Ｂ５ａを有している。このソケットケース３７２Ｂ５ａは、リール本体３７２Ｂ３の絵柄フィルム３７２Ｂ３ｃの内周側の曲率に対応するように略扇状に形成されている。そして、ソケットケース３７２Ｂ５ａの外周面には、角錐凹状で底部に図示しない発光ダイオードなどの光源が着脱可能に装着され周外方に向けて拡開する図示しない照光室が複数、例えば３つ区画形成されている。このソケットケース３７２Ｂ５ａは、取付支持板部３７２Ｂ１の取付舌片部３７２Ｂ１ｂに取り付けられ、外周面に開口する照光室の照射開口がリール本体３７２Ｂ３の絵柄フィルム３７２Ｂ３ｃの内周面に対向して配設されている。
【００８６】
そして、３つのリール部材３７２Ｂは、取付支持板部３７２Ｂ１の取付爪部３７２Ｂ１ｄがリールボックス３７２Ａのリール取付片３７２Ａ１に着脱可能にねじ３７２Ｂ１ｅにてそれぞれ取り付けられ、各リール本体３７２Ｂ３が同軸上でリールボックス３７２Ａ内に略収容される状態に組み付けられる。なお、各リール部材３７２Ｂのモータ３７２Ｂ２へ給電する電源線３７２Ｂ２ｂ、回転位置検出手段３７２Ｂ４の図示しない信号線、投光手段３７２Ｂ５の図示しない電源線などは、リールボックス３７２Ａの配線孔３７２Ａ２を介してリールボックス３７２Ａ外に配線される。
【００８７】
シールド部材３７２Ｃは、例えば合成樹脂にて円弧状に湾曲する帯状に形成されている。このシールド部材３７２Ｃの長手方向の両端部には、同一面上に平面を有する状態に舌片状に形成された取付鍔部３７２Ｃ１が一連に設けられている。この取付鍔部３７２Ｃ１には、リールボックス３７２Ａのリール取付片３７２Ａ１に例えば取付ねじ３７２Ｃ２にて取り付けるための図示しないねじ孔が設けられている。そして、シールド部材３７２Ｃは、取付鍔部３７２Ｃ１がリールボックス３７２Ａのリール取付片３７２Ａ１に着脱可能に取付ねじ３７２Ｃ２にてそれぞれ取り付けられる。このシールド部材３７２Ｃの取付は、リールボックス３７２Ａに配設されるリール部材３７２Ｂのリール本体３７２Ｂ３間、および、外側に位置するリール本体３７２Ｂ３の外面側に位置して、リール本体３７２Ｂ３を軸方向で挟み込む状態で接触させずに取り付けられ、シールド部材３７２Ｃはリール本体３７２Ｂ３間の目隠しとして機能する。
【００８８】
リール部材３７２Ｂおよびシールド部材３７２Ｃが取り付けられたリールボックス３７２Ａは、ユニットケース３７１に取り付けられるとともにユニット載置板３１８にねじ止めなどにより取り付けられ、筐体３１０のユニット室３１０Ｃ内に作業開口３１０Ｃ１を介して着脱可能に収容される。この設置された状態では、蓋体３２０に設けた主表示パネル３２９のリール表示窓３２９Ａに各リール本体３７２Ｂ３の絵柄フィルム３７２Ｂ３ｃに印刷された絵柄が少なくとも３つ視認できる状態となる。
【００８９】
主制御基板３７３は、複数の電気部品が搭載された回路基板で、ユニットケース３７１の基板取付部３７１Ｄに取り付けられた基板収容ケース３７１Ｅ内に収容されて封止される。この主制御基板３７３は、電源ユニット３５０から電力が供給され、遊技に関する動作を制御する。例えば、操作手段３４０の入力操作に基づいてリールユニット３７２の動作を制御したり、リール本体３７２Ｂ３の絵柄の組み合わせに基づいて適宜コインを払出処理したり、遊技状況に対応して副制御基板３７４に各種信号を出力して発音や表示、光源の点灯や点滅などの演出処理を実施させる制御をする。
【００９０】
副制御基板３７４は、複数の電気部品が搭載された回路基板で、ユニットケース３７１の一方である正面から見て左側の側面部の内面側に取り付けられている。この副制御基板３７４は、主制御基板３７３に制御されて演出ユニット３３０を適宜動作、例えば上述したように点灯や点滅、あるいは表示や発音などにより、遊技状況を報知させる制御をする。
【００９１】
また、コイン貯留室３１０Ｄに収容される遊技媒体搬入出ユニット３８０は、図３および図１０ないし図１２に示すように、背面板部に取り付けられたシュート部３８１の他に、コイン搬送手段３８２と、コインタンク３８３と、補給ホッパ３８４と、余剰コイン収容タンク３８５と、コイン判別手段３８６と、を備えている。
【００９２】
コイン搬送手段３８２は、貯留ホッパ３８２Ａと、排出装置３８２Ｂと、ガイド部３８２Ｃと、計数手段３８２Ｄと、を備えている。貯留ホッパ３８２Ａは、上方に向けて拡開し、上方から投入されるコインを貯留する貯留空間３８２Ａ１を有している。この貯留ホッパ３８２Ａは、排出装置３８２Ｂに組み付けられ、貯留するコインを底部から排出装置３８２Ｂへ排出する図示しない排出口が設けられている。排出装置３８２Ｂは、貯留ホッパ３８２Ａに貯留するコインを１枚ずつ排出する一般的に利用される構成のもの用いられる。ガイド部３８２Ｃは、コインが重なり合わずに通過可能な筒形状に形成され、一端が排出装置３８２Ｂに接続され、他端が肘掛け部３１７のコイン受け皿部３１７Ｄのコイン排出口３１７Ｄ１に連通する状態に配設されている。そして、ガイド部３８２Ｃは、排出装置３８２Ｂから１枚ずつ排出されるコインをコイン排出口３１７Ｄ１からコイン受け皿部３７１Ｄへ搬送する。計数手段３８２Ｄは、ガイド部３８２Ｃの中間に位置して配設され、ガイド部３８２Ｃを通過するコインの枚数を計数する。そして、計数手段３８２Ｄは、計数したコインの枚数に関する信号を回胴ユニット３７０の主制御基板３７３や遊技状況検出手段３６０などに出力する。
【００９３】
コインタンク３８３は、例えば鋼板などにて略裁頭角筒状に形成されている。このコインタンク３８３は、上面に受入口３８３Ａ１を開口する略四角筒状のタンク部３８３Ａが上部に形成され、下面に図示しない落下排出口を開口しタンク部３８３Ａより径小の落下部３８３Ｂを有している。落下部３８３Ｂは、タンク部３８３Ａの３面に面一で連続し、タンク部３８３Ａと落下部３８３Ｂとの面一に連続しない１面が傾斜面３８３Ｃにてタンク部３８３Ａに連続して形成され、コインタンク３８３はタンク部３８３Ａの下端が傾斜面３８３Ｃにて対向する面に向けて近接する状態に上方に拡開して形成されている。
【００９４】
コインタンク３８３の受入口３８３Ａ１の一縁には、外方に向けて略垂直に折曲され、さらに先端縁の両端部がタンク部３８３Ａの下端側に略垂直に折曲された吊り下げ爪部３８３Ｄが一対設けられている。これら吊り下げ爪部３８３Ｄは、ユニット載置板３１８に取り付けられた吊り下げ保持具３２６の爪係合孔に係脱可能に上方から係合し、コインタンク３８３を落下部３８３Ｂの落下排出口が貯留ホッパ３８２Ａ内で略開口する状態に吊り下げ保持具３２６に吊り下げ支持可能に形成されている。
【００９５】
また、コインタンク３８３の吊り下げ爪部３８３Ｄが設けられた面には、背面板部３１４に取り付けられたシュート部３８１の正面側の端部が挿入可能に開口する補給口３８３Ｅが開口形成されている。そして、供給投入孔３１４Ｄから筐体３１０内に投入されシュート部３８１を落下するコインがコインタンク３８３内に投入可能となっている。
【００９６】
さらに、コインタンク３８３の補給口３８３Ｅと反対側の面には、受入口３８３Ａ１に連続して凹状に切り欠かれた余剰分排出凹部３８３Ｆが形成されている。この余剰分排出凹部３８３Ｆは、コインタンク３８３内に所定量以上に受入口３８３Ａ１から受け入れられたコインをコインタンク３８３外に排出可能に形成されている。
【００９７】
また、コインタンク３８３の傾斜面３８３Ｃと反対側の面には、貯留分排出口３８３Ｇが開口形成されている。この貯留分排出口３８３Ｇの上下方向の開口縁および下縁近傍の外面には、開口縁に対して所定の間隙を介して対向するガイド片部３８３Ｈが設けられている。そして、ガイド片部３８３Ｈと貯留分排出口３８３Ｇの開口縁との間に摺動可能に周縁が挾持され、貯留分排出口３８３Ｇを開閉する略板状のシャッタ板３８３Ｉが配設されている。このシャッタ板３８３Ｉの上縁には、外方に向けて略垂直に折曲された操作把手部３８３Ｉａが形成されている。
【００９８】
さらに、コインタンク３８３の余剰分排出凹部３８３Ｆが設けられた面には、上端縁が受入口３８３Ａ１に面一に連続して上部が余剰分排出凹部３８３Ｆを覆い、下端が貯留分排出口３８３Ｇの開口する面より突出する状態で開口する略角筒状に形成された排出シュート部３８３Ｊが設けられている。
【００９９】
そして、コインタンク３８３の下部には、支持板部３８３Ｋが設けられている。この支持板部３８３Ｋは、例えば鋼板などにて断面略Ｌ字状に折曲形成され、コインタンク３８３の排出シュート部３８３Ｊが設けられた面と貯留分排出口３８３Ｇが開口する面との２面に亘って取り付けている。そして、支持板部３８３Ｋには、排出シュート部３８３Ｊに連続して取り付けられる面の下端縁に、下方に向けて舌片状に突出し底板部３１３に設けられた係止溝部３１３Ｂに上方から係脱可能に係合する位置決め係止爪３８３Ｋ１が設けられている。
【０１００】
そして、コインタンク３８３は、吊り下げ保持具３２６に吊り下げ爪部３８３Ｄが係合して吊り下げ支持されるとともに、係止爪３８３Ｋ１が係止溝部３１３Ｂに係合して位置決めされる。さらに、コインタンク３８３は、支持板部３８３Ｋが貯留ホッパ３８２Ａを覆う状態に底板部３１３上に載置する状態で支持させる。このようにして、コインタンク３８３は、落下部３８３Ｂの下面の落下排出口が貯留ホッパ３８２Ａの貯留空間３８２Ａ１内に略開口する状態で、筐体３１０のコイン貯留室３１０Ｄ内に着脱可能に配設される。
【０１０１】
すなわち、コインタンク３８３を着脱可能に装着するため、仮に排出装置３８２Ｂが故障するなどして点検あるいは修理または交換しなければならないなど場合でも、正面蓋板部３１９を取り外してコインタンク３８３を取り外すことで、筐体３１０の正面に排出装置３８２Ｂの全体が臨む状態となり、保守点検や交換が容易にできる。なお、このコインタンク３８３を取り外す際、コインタンク３８３内にコインを貯留する場合、シャッタ板３８３Ｉを上方に摺動移動させて貯留分排出口３８３Ｇを開口させることで、コインタンク３８３内に貯留するコインを貯留分排出口３８３Ｇから排出させる。
【０１０２】
また、遊技媒体搬入出ユニット３８０の補給ホッパ３８４は、図９ないし図１２および図１４に示すように、例えば鋼板などにて折曲形成され、上部に四角筒状の受入部３８４Ａを有している。さらに、補給ホッパ３８４の下部には、下端に受入部３８４Ａの短い幅寸法方向で対向する一対の面に面一に連続し、長手方向で受入部３８４Ａの長手寸法より短い四角筒状の落下案内部３８４Ｂを有している。そして、補給ホッパ３８４は、受入部３８４Ａと落下案内部３８４Ｂとの面一に連続しない中間部に落下案内部３８４Ｂから受入部３８４Ａに向けて拡開する状態に傾斜する面にて連続させる収束部３８４Ｃを有し、略扁平漏斗状に形成されている。また、補給ホッパ３８４の収束部３８４Ｃの傾斜する面には、図示しない工具孔がそれぞれ設けられている。さらに、補給ホッパ３８４の収束部３８４Ｃ落下案内部３８４Ｂとの境界近傍の外面には、外方に向けて爪状に突出しねじ孔３８４Ｄ１を有したねじ止め爪部３８４Ｄが工具孔に上下方向で対向して工具孔に臨む状態に設けられている。
【０１０３】
そして、補給ホッパ３８４は、落下案内部３８４Ｂが筐体３１０の補給ホッパ支持板３２７の貫通孔３２７Ａ１に上方から挿入され、ねじ止め爪部３８４Ｄのねじ孔３８４Ｄ１を補給ホッパ支持板３２７のねじ止め孔に位置合わせされ、工具孔に上方から挿入された図示しない工具にてねじ止めされ、補給ホッパ支持板３２７に取り付けられる。この取り付けられた補給ホッパ３８４は、落下案内部３８４Ｂの下面がコインタンク３８３の受入口３８３Ａ１内で略開口する状態となる。また、補給ホッパ３８４は、取り付けられた状態で、ユニット載置板３１８上に設置された回胴ユニット３７０のリール本体３７２Ｂ３の正面側となる下部の一部を覆ってリール本体３７２Ｂ３の絵柄が所定の領域のみリール表示窓３２９Ａから視認できるように目隠しとしても機能する。なお、回胴ユニット３７０の取り外しやリールユニット３７２の取り外し、あるいはリール部材３７２Ｂの取り外しの際には、補給ホッパ３８４を一旦取り外してから作業する。
【０１０４】
また、遊技媒体搬入出ユニット３８０の余剰コイン収容タンク３８５は、上面を開口する略箱状に形成されている。この余剰コイン収容タンク３８５の長手方向の一側面は、対向する側面より高さ寸法が高く形成されている。さらに、余剰コイン収容タンク３８５の正面側となる一端面は、対向する端面より高さ寸法が低い側面より側方に突出する状態に形成されている。また、余剰コイン収容タンク３８５には、一面に引き出し把手部３８５Ａが設けられている。そして、余剰コイン収容タンク３８５は、底板部３１３に設けられたレール部材３１３Ｄに下端部が前後方向に摺動可能に案内され、高さ寸法が高い一側面がコインタンク３８３の貯留分排出口３８３Ｇおよび排出シュート部３８３Ｊの下端部に略対向し、正面側の一端面がコインタンク３８３の正面側の面に当接して位置決めされる状態に配設される。この配設された状態で、余剰コイン収容タンク３８５は、コインタンク３８３の貯留分排出口３８３Ｇおよび排出シュート部３８３Ｊの下方に配置され、高さ寸法が高い一側面で貯留分排出口３８３Ｇおよび排出シュート部３８３Ｊから排出されるコインを確実に収容させる。
【０１０５】
そして、遊技媒体搬入出ユニット３８０のコイン判別手段３８６は、セレクタ部３８６Ａと、搬送ガイド部３８６Ｂと、を備えている。セレクタ部３８６Ａは、作業開口３１０Ｃ１を閉塞する蓋体３２０の蓋枠体３２０Ａに設けられたコイン投入ガイド部材３２０Ａ４の下方で、かつコイン受け皿部３１７Ｄの背面側に位置して筐体３１０内に配設、すなわち肘掛け部３１７の背面側に取り付けられている。このセレクタ部３８６Ａは、コイン投入ガイド部材３２０Ａ４のコイン投入孔３２０Ａ４ａから投入されたコインを取得し、遊技用のコインか否かを判別する。そして、セレクタ部３８６Ａは、遊技用のコインを取得した場合、下方へ排出するとともにコインが投入されて取得した旨の信号を回胴ユニット３７０の主制御基板３７３あるいは遊技状況検出手段３６０などに出力する。また、セレクタ部３８６Ａは、遊技用のコイン以外の例えば通貨などの異物を取得した場合、正面側に位置して対向するコイン受け皿部３１７Ｄの案内シュート部３１７Ｄ３に排出する。なお、セレクタ部３８６Ａは、異物を取得した場合、直ちに排出することなく保留し、返却用ボタン３２０Ａ４ｂが操作されることで異物を案内シュート部３１７Ｄ３へ排出してもよい。そして、この排出された異物は、案内シュート部３１７Ｄ３から返却口３１７Ｄ２を介してコイン受け皿部３１７Ｄに返却される。
【０１０６】
搬送ガイド部３８６Ｂは、セレクタ部３８６Ａの下部に連結され、下端がコインタンク３８３の受入口３８３Ａ１内で略開口する状態に配設されている。そして、搬送ガイド部３８６Ｂは、セレクタ部３８６Ａから排出される遊技用のコインを取得し、コインタンク３８３内へ投入する。
【０１０７】
（遊技媒体貸出装置）
一方、遊技媒体貸出装置４００は、図１ないし図３に示すように、例えば遊技装置３００に対して正面から見て右側に位置して、台座板２００上に配置される。側面視で遊技装置３００と略同形状で横幅寸法が例えば十数ｃｍ程度の扁平状のケース体４１０を有している。この遊技媒体貸出装置４００は、遊技装置３００の側板部３１１に側面がねじ止めなどにより取り付けられ、遊技装置３００に一体的に連結される。
【０１０８】
この遊技媒体貸出装置４００のケース体４１０には、遊技装置３００の肘掛け部３１７と同様に、クッション部材４１１Ａが正面側で覆われた肘掛け側部４１１を有している。そして、この肘掛け側部４１１には、遊技装置３００のコイン受け皿部３１７Ｄと同様に、コイン受け皿側部４１１Ｂが設けられている。このコイン受け皿側部４１１Ｂは、ケース体４１０の遊技装置３００側の側面である正面から見て左側の側面から若干突出する状態で、上面および左側の側面を開口する箱状に形成されている。すなわち、コイン受け皿側部４１１Ｂは、遊技装置３００の側板部３１１に設けた連結切欠部３１１Ｄの縁を覆い、コイン受け皿部３１７Ｄに連続するように上面を開口する箱形状を構成する状態に形成されている。また、コイン受け皿側部４１１Ｂには、背面側に対向する面に図示しない配給口が開口形成されている。さらに、コイン受け皿側部４１１Ｂには、コイン受け皿部３１７Ｄの案内シュート部３１７Ｄ３と同様に、配給口の縁から切り起こされてシュート状に形成された図示しないガイドシュート部が設けられている。
【０１０９】
また、遊技媒体貸出装置４００には、遊技装置３００の演出室３１０Ａに対応する上部内に、図示しない紙幣判別取得装置が配設されている。この紙幣判別装置は、通常利用されるものと同構成のものが利用され、ケース体４１０の上部正面に開口する紙幣受入口４１２から投入される紙幣を取得し、不良紙幣は再び紙幣受入口４１２から返却し、正規の紙幣であれば貯留可能に構成されている。なお、紙幣判別装置は、高額紙幣の場合には適宜おつりを返却可能な構成としてもよい。そして、この紙幣判別取得装置が位置するケース体４１０の正面は、上部蓋４１３にて開閉可能に閉塞され、紙幣判別取得装置の交換や保守点検が可能となっている。さらに、上部蓋４１３を操作することで貯留する紙幣を外部から回収可能となる。
【０１１０】
また、遊技媒体貸出装置４００には、紙幣判別取得装置の下方に位置して図１９および図２０に示すようなコイン貸出機４２０が配設されている。このコイン貸出機４２０は、遊技装置３００の遊技媒体搬入出ユニット３８０の排出装置３８２Ｂと同様に、上方に向けて拡開する図示しない円錐筒状のコインホッパが設けられ、このコインホッパに貯留されるコインＸを１枚ずつ排出する図示しない払出装置を備えている。また、コイン貸出機４２０には、払出装置から排出されるコインを正面側に排出する図示しない払出シュートが設けられている。そして、コイン貸出機４２０は、紙幣判別取得装置から正規の紙幣を取得した旨の信号を受信すると、所定枚数のコインを払出シュートから排出させる。この払い出されるコインは、払出装置の構成上、平面上に排出される。
【０１１１】
なお、遊技媒体貸出装置４００は、紙幣判別取得装置で取得した紙幣に関する情報やコイン貸出機４２０で貸し出したコインの枚数に関する情報などを、上述した図示しない管理システムに出力させ、紙幣の取得状況やコインの貯留状況などを管理システムで認識できるように構成してもよい。
【０１１２】
そして、このコイン貸出機４２０の配設位置より上方におけるケース体４１０の正面側には、補給用蓋４１５にて開閉可能に閉塞される図示しない補給用口が開口形成されている。この補給用口は、コイン貸出機４２０のコインホッパの上方に臨んで開口形成されている。そして、補給用蓋４１５は、下端が回動可能に軸支され所定角度で傾斜し、補給用口を開口した状態でコインをコインホッパへ投入するためのシュートとして機能するように断面略コ字状に折曲形成されている。
【０１１３】
さらに、ケース体４１０には、遊技装置３００の蓋体３２０にて開閉される作業開口３１０Ｃ１の面に対応する位置に、下部蓋４１７にて開閉可能に閉塞される点検口４１８が開口形成されている。この点検口４１８の開放により、コイン貸出機４２０は交換や保守点検が可能に点検口４１８に臨む。また、ケース体４１０内には、図１９に示すように、この点検口４１８に臨む内側面で点検口４１８の前後方向の両側縁に沿った一対の装着片部４３０が、コイン貸出機４２０の正面側に位置して設けられている。この装着片部４３０は、背面側となるコイン貸出機４２０側が正面側より高い位置で傾斜する状態に配設され、相対向する縁には対向方向に沿ってフランジ状に装着片４３１が折曲形成されている。さらに、装着片４３１には、対向方向で凹状に係合凹部４３２が切欠形成されている。そして、ケース体４１０内には、これら装着片部４３０間に架橋する状態に、配給シュート部４４０が点検口４１８の下方に位置して配設されている。
【０１１４】
この配給シュート部４４０は、図１９および図２０に示すように、例えばステンレス鋼板などにて折曲形成され、細長板状のレール板部４４１の長手方向の両側が同方向に拡開する状態で折曲されたガイド側面部４４２がそれぞれ形成され、断面略Ｖ字状に形成されている。そして、配給シュート部４４０は、一方のガイド側面部４４２の幅方向の略中央で外方に所定幅寸法で折曲された段差部４４２Ａが形成されている。この段差部４４２Ａにおける配給シュート部４４０の内面側の幅寸法は、コインＸの直径と略同寸法もしくはコインＸの直径より若干広く形成され、コインＸが水平状に投入された際に、コインＸの重心位置となる中央より一周縁のみが段差部４４２Ａに当接してレール板部４４１に縦方向で落下するように形成されている。
【０１１５】
また、配給シュート部４４０には、ガイド側面部４４２から対向方向と反対側に折曲され、装着片部４３０の装着片４３１の上面に重畳する状態で係合し、装着片部４３０に配給シュート部４４０を保持させる保持片部４４３が形成されている。この保持片部４４３には、装着片４３１の係合凹部４３２に係脱可能に係合する係止爪部４４４が折曲形成されている。この係止爪部４４４は、配給シュート部４４０を装着片部４３０間に保持した際に、長手方向の一端側をコイン貸出機４２０の払出シュートの下方に位置させ、他端側をコイン受け皿側部４１１Ｂのガイドシュート部に略係合させる位置に配給シュート部４４０を配設させる。すなわち、配給シュート部４４０は、コイン貸出機４２０から排出されるコインＸを一旦立てる状態にして受け止め、コインＸをガイド側面部４４２に横たわる状態で転動落下さら、ガイドシュート部からコイン受け皿側部４１１Ｂ内に投入させる。
【０１１６】
なお、遊技装置３００に遊技媒体貸出装置４００が一体的に連結され遊技装置３００のコイン受け皿部３１７Ｄおよび遊技媒体貸出装置４００のコイン受け皿側部４１１Ｂが連結して上面を開口する略箱形状を構成した位置に、図２１に示すようなコイン取出用ボックス５００を着脱可能に装着してもよい。このコイン取出用ボックス５００は、例えば軟質の合成樹脂やゴムなどにて、連結して上面を開口する略箱形状と略同形状の上面を開口する略箱形状に形成されている。また、コイン取出用ボックス５００には、コイン受け皿部３１７Ｄの返却口３１７Ｄ２およびコイン排出口３１７Ｄ１と、コイン受け皿側部４１１Ｂの配給口とに対応する形状の各種開口５０１を有している。そして、コイン取出用ボックス５００は、遊技装置３００のコイン受け皿部３１７Ｄおよび遊技媒体貸出装置４００のコイン受け皿側部４１１Ｂに跨って着脱可能に装着され、遊技装置３００から返却されるコインＸや異物あるいは払い出されるコインＸ、さらには遊技媒体貸出装置４００から貸し出されるコインＸを収容可能となっている。
【０１１７】
さらに、遊技媒体貸出装置４００のケース体４１０の底部正面側には、遊技装置３００と同様の調整用孔３１３Ｇを介して進退可能な脚部材３１３Ｈが設けられている。
【０１１８】
〔遊技システムの設置動作〕
次に、上記遊技システム１００を設置する動作について、新台の導入時と、面替え導入時とについてそれぞれ説明する。なお、本実施の形態では、各遊技システム１００をいわゆる「島」状に一列に複数配置させる構成について説明するが、本発明はこの構成に限らず、遊技システム１００を独立で配置したり、円弧状に配置するなどしてもよい。
【０１１９】
（新台の導入）
新台の導入、すなわち「ホール」と称される店舗における遊技システム１００が設置されていない位置に新たに遊技システム１００を設置する場合には、まず店舗の床面に、所定間隔で複数のアンカーボルト２６０を設置する。なお、遊技システム１００を導入する前に、パチンコ式遊技装置や回胴式遊技装置などが装着されていわゆる「島」を構成する台座が設置されている場合には、この台座を撤去してアンカーボルト２６０を設置する。
【０１２０】
そして、台座板２００のボルト挿通孔２７０に、床面に設置したアンカーボルト２６０を嵌挿させて、店舗の床面上に台座板２００を載置する。この際、台座板２００の連通開口２５０が補強中間部２４０に対して正面側、すなわち遊技システム１００を配置した際に遊技者が通行する通路となる側に位置するように載置する。さらに、複数の台座板２００は、通路側の縁がそれぞれ略直線上に位置するように配置する。
【０１２１】
この台座板２００上に、あらかじめ各種ユニットなどが組み付けられた遊技装置３００および遊技媒体貸出装置４００を載置する。すなわち、遊技装置３００の筐体３１０の底板部３１３に設けたボルト貫通孔３１３Ａに台座板２００を介して突出するアンカーボルト２６０を挿通する。そして、遊技装置３００の底板部３１３に設けた脚部材３１３Ｈのアンカ部３１３Ｈ１ａを適宜回転して調整用孔３１３Ｇからアンカ部３１３Ｈ１ａの下端部を適宜進出させ、アンカ部３１３Ｈ１ａの下端に設けた設置支持板３１３Ｈ１ｂを台座板２００に当接させて筐体３１０を押し上げるようにし、筐体３１０の底板部３１３が略水平となるようにする。この後、アンカ部３１３Ｈ１ａの回転防止のための規制部材である例えばナット３１３Ｈ３を螺合させ、脚部材３１３Ｈの支持天板３１３Ｈ２ａに締め付けてアンカ部３１３Ｈ１ａの回転を規制する。さらに、ボルト貫通孔に挿通するアンカーボルトに２６０にナット２８０を螺着して遊技装置３００を台座板２００上で床面に位置決め固定する。
【０１２２】
そして、この遊技装置３００を固定した台座板２００上に、遊技装置３００に対して正面から見て右側に遊技媒体貸出装置４００を載置する。この遊技媒体貸出装置４００の載置の際、遊技装置３００の側板部３１１の連結切欠部３１１Ｄから遮蔽板３１１Ｅを取り外しておく。なお、取り外した遮蔽板３１１Ｅは別途回収したり、コイン貯留室３１０Ｄ内に収容しておくなどしておく。
【０１２３】
そして、遊技装置３００と同様に、遊技媒体貸出装置４００の脚部材３１３Ｈのアンカ部３１３Ｈ１ａを適宜回転して遊技媒体貸出装置４００のケース体４１０の底面を略水平にする。この後、遊技媒体貸出装置４００のコイン受け皿側部４１１Ｂを、遊技装置３００の連結切欠部３１１Ｄに係合させ、側面が遊技装置３００の側面に密着する状態に設置する。そして、遊技装置３００の側板部３１１の内面側から遊技媒体貸出装置４００のケース体４１０の側面に木ねじなどにてねじ止めし、遊技装置３００と遊技媒体貸出装置４００とを一体的に連結し、遊技システム１００を構成させる。このようにして、順次、台座板２００上に遊技装置３００および遊技媒体貸出装置４００を連結して一列に遊技システム１００を配置し、新台を導入する。そして、電源ユニット３５０に背面板部３１４のケーブル挿通孔を介して導入した電源線を接続して電力を供給させる。
【０１２４】
（面替え導入）
一方、面替え導入、すなわち従前に遊技システム１００が設置されており、他の遊技内容の遊技システム１００を設置する場合などには、設置されている遊技システム１００を、上述した新台の導入時の設置作業と逆の作業により台座板２００から取り外す。すなわち、遊技装置３００と遊技媒体貸出装置４００とのねじ止めを解除して分離する。さらに、アンカーボルト２６０に螺着したナット２８０を取り外し、アンカーボルト２６０から遊技装置３００を取り外す。なお、遊技媒体貸出装置４００は、交換する必要がなければそのままとする。
【０１２５】
そして、新たな遊技内容の他の遊技装置３００を、上述した新台の導入時の設置作業と同様にして位置決め固定し、従前の遊技媒体貸出装置４００と連結して遊技システム１００を設置する。なお、従前の遊技装置３００は回収する。
【０１２６】
〔遊技システムの遊技動作〕
次に、上記設置した遊技システムの遊技動作について説明する。
【０１２７】
遊技者は、遊技媒体貸出装置４００の紙幣受入口４１２から所定の紙幣を投入する。この紙幣の投入により、遊技媒体貸出装置４００の紙幣判別装置が投入された紙幣を取得し、不良紙幣か否かを判断する。そして、紙幣判別装置は、不良紙幣であると判断した場合、再び紙幣受入口４１２から投入された不良紙幣を返却する。一方、紙幣判別装置は、不良紙幣ではない、すなわち正規の紙幣であると判断した場合、取得した紙幣を内部に貯留するとともに、紙幣を取得した旨の信号を出力する。
【０１２８】
そして、紙幣判別装置から紙幣を取得した旨の信号が出力されたことをコイン貸出機４２０が認識すると、所定枚数の遊技媒体であるコインＸを１枚ずつ払出シュートから排出する。この排出されたコインＸは、払出シュートから配給シュート部４４０に落下し、配給シュート部４４０の段差部４４２ＡにコインＸの重心位置より一周縁のみが当接する。このことにより、コインＸは、段差部４４２Ａに当接しない部分からさらに配給シュート部４４０のレール板部４４１に平面が上下方向に沿う縦方向で落下する。そして、コインＸは、レール板部４４１上を正面側に向けて転がり落ち、ガイドシュート部を介して配給口からコイン受け皿側部４４１Ｂ内に投入され、コインＸが貸し出される。
【０１２９】
この貸し出されたコインＸを、遊技者が遊技装置３００のコイン投入ガイド部材３１７Ａ４のコイン投入孔３１７Ａ４ａから投入する。この投入されたコインＸは、遊技媒体搬入出ユニット３８０のコイン判別手段３８６のセレクタ部３８６Ａが取得し、遊技用のコインＸか否かを判断する。そして、セレクタ部３８６Ａが遊技用のコインＸ以外の異物と認識した場合にはコイン受け皿部３１７Ｄに案内シュート部３１７Ｄ３を介して返却口３１７Ｄ２から返却する。なお、返却用ボタン３２０Ａ４ｂが操作されることで異物を案内シュート部３１７Ｄ３へ排出するようにしてもよい。一方、セレクタ部３８６Ａは、遊技用のコインＸであると判断すると、搬送ガイド部３８６ＢへコインＸを排出し、コインＸを取得した旨の信号を出力する。
【０１３０】
なお、搬送ガイド部３８６Ｂへ排出されたコインＸは、搬送ガイド部３８６Ｂを介してコインタンク３８３内に受入口３８３Ａ１から投入し、コインタンク３８３からコイン搬送手段３８２の貯留ホッパ３８２Ａに落下させて貯留、あるいは貯留ホッパ３８２Ａが一杯である場合にはコインタンク３８３内に貯留する。また、コインタンク３８３内も一杯である場合、コインタンク３８３へ投入されたコインＸは、余剰分排出凹部３８３Ｆから排出シュート部３８３Ｊへこぼれ落ち、排出シュート部３８３Ｊを落下して余剰コイン収容タンク３８５内に投入されて貯留される。
【０１３１】
そして、セレクタ部３８６ＡからコインＸを取得した旨の信号が出力されたことを回胴ユニット３７０の主制御基板３７３が認識すると、遊技装置３００の蓋体３２０に配設された回路基板３２０Ｄに所定の信号が出力され、回路基板３２０Ｄの所定の表示装置３２０Ｄ１が投入されたコインＸに対応する枚数を加算表示する。さらに、主制御基板３７３は、回胴ユニット３７０のリール本体３７２Ｂ３を回転させるための操作ボタン３４１を操作可能とする。例えば、操作ボタン３４１に組み込まれた光源を点灯させて、操作可能である旨を報知させる。
【０１３２】
この操作手段３４０における回胴ユニット３７０のリール本体３７２Ｂ３を回転させるための操作ボタン３４１が遊技者により操作されると、その操作に対応した信号を主制御基板３７３が操作手段３４０から取得し、回胴ユニット３７０のリール本体３７２Ｂ３を回転させる制御をする。すなわち、回胴ユニット３７０の各リール部材３７２Ｂを構成するモータ３７２Ｂ２を駆動させ、各リール本体３７２Ｂ３を所定の速度回転させる。この後、主制御基板３７３は、リール本体３７２Ｂ３の回転を停止させる旨の操作ボタン３４１を操作可能とする。そして、遊技者が蓋体３２０に配設した主表示パネル３２９のリール表示窓３２９Ａを介してリール本体３７２Ｂ３が回転したことを認識すると、リール本体３７２Ｂ３を停止させる操作ボタン３４１を適宜操作する。この操作に対応した信号を主制御基板３７３が操作手段３４０から取得すると、プログラムに基づいて適宜モータ３７２Ｂ２を停止させ、リール本体３７２Ｂ３の回転を停止させる。
【０１３３】
このリール本体３７２Ｂ３の回転の停止により、リール部材３７２Ｂの回転位置検出手段３７２Ｂ４がリール本体３７２Ｂ３の停止状況を判断し、主制御基板３７３に停止状況に関する信号を出力する。この信号を主制御基板３７３が取得し、主表示パネル３２９のリール表示窓３２９Ａを介して視認可能に表示される各リール本体３７２Ｂ３の絵柄の組み合わせを判断する。そして、絵柄が所定の組み合わせで表示される状態にリール本体３７２Ｂ３が停止したことを主制御基板３７３が判断すると、所定の枚数のコインＸを払い出す制御をする。すなわち、遊技媒体搬入出ユニット３８０の排出装置３８２Ｂを制御し、所定の枚数のコインＸを排出装置３８２Ｂからガイド部３８２Ｃへ排出させる。この排出されたコインＸは、ガイド部３８２Ｃを介して計数手段３８２Ｄで計数される。この計数手段３８２Ｄで所定の枚数を計数するまで排出装置３８２Ｂからガイド部３８２ＣへコインＸが排出され、ガイド部３８２Ｃからコイン排出口３１７Ｄ１を介してコイン受け皿部３１７Ｄへ排出されて払い出され、１回の遊技が終了する。
【０１３４】
なお、コインＸの払出量が多くなり、貯留ホッパ３８２Ａ内にコインＸがない、あるいは所定量以下となると、例えば遊技状況検出手段３６０が所定の信号を出力し、貯留するコインＸがない、あるいは少なくなった旨の信号を出力する。そして、例えば副制御基板３７４にて演出ユニット３３０を適宜動作させたり、蓋体３２０の回路基板３２０Ｄを適宜動作させるなどにより、コインＸがないあるいは少なくなった旨を遊技者や店員に報知させる。遊技者が認識する構成の場合、遊技者が店舗の店員に知らしめる。そして、店舗の店員がコインＸがないあるいは少なくなった旨を認識すると、店員が蓋体３２０の第２の施錠装置３２０Ｅを操作し、蓋体３２０を回動させて作業開口３１０Ｃ１を開口させる。そして、作業開口３１０Ｃ１に臨む補給ホッパ３８４に店員がコインＸを投入することで、コインタンク３８３を介して貯留ホッパ３８２ＡにコインＸが補給される。
【０１３５】
〔遊技装置の再利用〕
次に、回収した遊技装置３００の再利用について説明する。
【０１３６】
回収した遊技装置３００は、他の店舗に利用される場合、保守点検して必要に応じて各部位を交換するとともに清掃し、他の店舗へ搬入して再利用する。一方、再利用として、そのまま利用されない場合に適宜改良するリユースと、筐体３１０にひどく損傷が生じている場合や、筐体３１０に損傷はないが保証期間である筐体３１０の強度低下がある程度進行していると判断される期間、例えば利用開始から３年を経過している場合などのリサイクルと、がある。
【０１３７】
リユースの場合、回収した遊技装置３００から、回胴ユニット３７０、主表示パネル３２９および遊技機用表示パネル３２２を取り外す。あるいは、遊技内容である主制御基板３７３や副制御基板３７４の制御内容は同一であるがデザインを変更する場合には、リールユニット３７２のみを取り外したり、リール部材３７２Ｂのみを取り外し、リール本体３７２Ｂ３を交換して絵柄を変更させればよい。
【０１３８】
そして、他の部位、例えば遊技媒体搬入出ユニット３８０や演出ユニット３３０などを保守点検し必要に応じて各部位を修理あるいは交換するとともに、筐体３１０を清掃する。この際、リール本体３７２Ｂ３のみを交換する場合には、回胴ユニット３７０の他の部分の保守点検や清掃をする。そして、例えば店舗や商社などからの新台の導入依頼に基づいて、要求された遊技内容の回胴ユニット３７０、遊技内容に対応した主表示パネル３２９および遊技機用表示パネル３２２を筐体３１０に組み付けて遊技装置３００を構成し、上述したように他の店舗に設置して新台の導入あるいは面替え導入をする。このように、回胴ユニット３７０、主表示パネル３２９および遊技機用表示パネル３２２以外の筐体３１０や演出ユニット３３０、電源ユニット３５０、遊技状況検出手段３６０、遊技媒体搬入出ユニット３８０などはそのまま利用できる。
【０１３９】
リサイクルの場合、例えば筐体３１０をリユースできない場合、主制御基板３７３や副制御基板３７４、回路基板３２０Ｄなど、また光源、発音手段３３２、さらには遊技媒体搬入出ユニット３８０、肘掛け部３１７のクッション部材３１７Ａなど、金属材料やガラス材料、合成樹脂材料などの材質毎に分離し解体し、各材質毎に分別する。そして、再利用すなわちリユースできる部位、例えば発音手段３３２やコインタンク３８３などがある場合には、別途新たに形成された筐体３１０に組み付けたり、筐体３１０の作成の際に再利用すればよい。また、各素材毎に分収することで、その部位を形成するための原料などに利用するなどにリサイクルする。
【０１４０】
また、取り外した回胴ユニット３７０は、例えば回胴ユニットメーカに返却され、適宜リール本体３７２Ｂ３を交換したり、主制御基板３７３や副制御基板３７４を交換あるいはプログラムの変更をし、遊技内容が変更される。すなわち、遊技内容の変更として、３つのリール部材３７２Ｂのリール本体３７２Ｂ３のみを交換し、主制御基板３７３や副制御基板３７４を交換あるいはプログラム変更するのみでよく、容易に遊技内容の変更ができる。そして、交換されるリール本体３７２Ｂ３は、適宜絵柄フィルム３７２Ｂ３ｃを張り替えるのみで、他の部位はそのまま利用できる。この交換された使用後の絵柄フィルム３７２Ｂ３ｃは、例えば溶融させて新たに絵柄フィルム３７２Ｂ３ｃを製造するための原料として利用することが容易で、また、主制御基板３７３や副制御基板３７４についても、プログラムを変更することで、再利用が容易にできる。さらに、主表示パネル３２９および遊技機用表示パネル３２２は、例えばパネルメーカに返却され、古い印刷を除去して新たな印刷を設けて再利用したり、溶融させて新たに主表示パネル３２９や遊技機用表示パネル３２２を作成するための原料として利用するなども容易にでき、再利用が容易にできる。
【０１４１】
〔遊技システムの作用効果〕
上述したように、上記実施の形態では、回胴ユニット３７０の遊技内容が視認可能、すなわちリール本体３７２Ｂ３の絵柄を視認可能に少なくとも一部が透光性のリール表示窓３２９Ａを形成する状態に印刷を設けた略板状の主表示パネル３２９を着脱可能に装着し、収容する回胴ユニット３６０を臨む筐体３１０の作業開口３１０Ｃ１を開閉可能に閉塞する蓋体３２０として、作業開口３１０Ｃ１に対して回動可能な蓋枠体３２０Ａと、蓋枠体３２０Ａの回動方向に沿って蓋枠体３２０Ａの裏面に対して相対的に回動可能な保持枠体３２０Ｂとにて、リール表示窓３２９Ａを介して遊技内容が視認可能に主表示パネル３２９を挾持させる構成としている。このため、作業開口３１０Ｃ１を開閉させる方向で蓋枠体３２０Ａと保持枠体３２０Ｂとを近接する方向あるいは離間する方向に相対的に回動させる容易な操作で、主表示パネル３２９の挾持および挾持の解除が得られ、表示パネルの着脱すなわち交換が容易にでき、遊技装置３００の製造作業および再利用作業が容易にでき、遊技装置３００のコストの低減が容易に図れる。
【０１４２】
そして、蓋体３２０が作業開口３１０Ｃを閉塞した状態で、主表示パネル３２９のリール表示窓３２９Ａが水平面に対して略平行または水平面に対して略４５°以下に傾斜する状態で蓋体３２０を設ける。すなわち、蓋体３２０にて閉塞される作業開口３１０Ｃが略平行または水平面に対して略４５°以下に傾斜する状態に筐体３１０を形成する。このため、蓋体３２０が上下方向に回動する構成となり、蓋枠体３２０Ａと保持枠体３２０Ｂとの相対的な回動方向も上下方向となるので、蓋枠体３２０Ａと保持枠体３２０Ｂとにて主表示パネル３２９を挾持する方向も上下方向に略沿う状態となり、主表示パネル３２９の挾持を解除した際に保持枠体３２０Ｂ上に主表示パネル３２９が略載置する状態が容易に得られ、主表示パネル３２９の着脱が容易にできる。
【０１４３】
また、筐体３１０の正面側に対応する蓋体３２０の正面側の縁が上下方向に回動する状態に蓋体３２０を筐体３１０に軸支している。このため、上述したように、蓋枠体３２０Ａと保持枠体３２０Ｂとの相対的な回動方向も上下方向となる構成が容易に得られ、主表示パネル３２９の着脱が容易にできる。
【０１４４】
さらに、作業開口３１０Ｃ１に対して回動可能な蓋枠体３２０Ａを筐体３１０に軸支し、保持枠体３２０Ｂを蓋枠体３２０Ａの裏面に蓋枠体３２０Ａの回動方向と同方向に回動可能に軸支して蓋体３２０を一体的に構成する。このため、蓋枠体３２０Ａと保持枠体３２０Ｂとが同方向で回動する状態に設ける構成が容易に得られ、蓋体３２０を容易に製造できるとともに、筐体３１０に蓋体３２０を設ける作業も蓋枠体３２０Ａを取り付けるのみでよく、蓋体３２０の取付が容易となり、構成の簡略化が容易に図れ、製造性を向上でき、コストの低減も容易に図れる。
【０１４５】
また、蓋枠体３２０Ａの裏面に、保持枠体３２０Ｂをねじ止めにて取り付ける取付板３２０Ａ２を着脱可能に設けている。このため、例えば度重なる再利用により主表示パネル３２９の着脱が繰り返されて取付板３２０Ａ２が保持枠体３２０Ｂを取り付けるための強度が得られなくなる劣化した状態となっても、取付板３２０Ａ２のみを交換すればよく、主表示パネル３２９を着脱可能に取り付ける蓋体３２０の寿命の向上が簡単な構成で容易に得られる。
【０１４６】
さらに、蓋体３２０が作業開口３１０Ｃ１を閉塞する状態で、筐体３１０の補給ホッパ支持板３２７に設けた第２の錠係脱孔３２７Ｄ１に係脱可能に係合する第２の施錠装置３２０Ｅを、保持枠体３２０Ｂの回動する正面側縁近傍の裏面に設けている。このため、蓋枠体３２０Ａおよび保持枠体３２０Ｂを相対的に回動させて主表示パネル３２９を挾持する箇所に第２の施錠装置３２０Ｅが位置しないので、蓋体３２０が大型化することなく蓋体３２０を施錠する構成が容易に得られる。
【０１４７】
そして、上方に向けて開口し主表示パネル３２９を上方から載置収容する装着凹部３２０Ｂ３を保持枠体３２０Ｂに設けている。このため、蓋枠体３２０Ａと保持枠体３２０Ｂとを相対的に回動して離間させて主表示パネル３２９を取付・取り外し可能な状態とした際に、主表示パネル３２９が装着凹部３２０Ｂ３に載置収容されて脱落が防止されるので、蓋枠体３２０Ａと保持枠体３２０Ｂとにて主表示パネル３２９を挾持するまでに位置決め保持させておく別部材や操作が不要で、表示パネルの着脱が簡単な構成で容易にできる。
【０１４８】
また、保持枠体３２０Ｂの裏面に、遊技状況を表示する表示装置３２０Ｄ１を搭載した回路基板３２０Ｄを設け、蓋枠体３２０Ａを表示装置３２０Ｄ１による表示が主表示パネル３２９を介して視認可能に主表示窓３２０Ａ１を開口する四角枠状に形成している。このため、遊技内容に近接して遊技状況を表示させることが簡単な構成で容易に得られる。
【０１４９】
一方、副表示窓３１５Ａを開口する正面上板部３１５の背面側に、遊技内容に関する表示を有した略板状の遊技機用表示パネル３２２の厚さ寸法と略同寸法または若干幅広に対向し遊技機用表示パネル３２２を正面上板部の背面との間に介在させて保持させる保持空間３１０Ｂを区画する取付枠部３２３を、上端縁が遊技機用表示パネル３２２の厚さ寸法と略同寸法で正面上板部３１５に対して離間させ、保持空間３１０Ｂに連通する取付挿入口３１０Ｂ１を上方に向けて開口する状態に取り付ける。このため、遊技機用表示パネル３２２を保持空間３１０Ｂ内に落とし込むようにして装着させることが可能で、また遊技機用表示パネル３２２を上方へ持ち上げるようにして取り外すことも容易にでき、例えば従来のような遊技機用表示パネル３２２を交換可能に保持する枠状体を回動可能に設けるなどの複雑な構成とする必要がなく、遊技機用表示パネル３２２が簡単な構成で容易に交換することができる。
【０１５０】
そして、正面上板部３１５に略平行に対向する平面を有した挾持枠部３２３Ａの上下方向に略沿う縁に正面上板部３１５に向けて遊技機用表示パネル３２２の厚さ寸法で段差部３２３Ｂを突出させ、段差部３２３Ｂの突出する先端に正面上板部３１５に取り付けられる取付部を設けて取付枠部３２３を構成する。具体的には、鋼板などの金属板にて、板状の挾持枠部３２３Ａの上下方向に略沿う縁に段差部３２３Ｂを折曲するとともに、段差部３２３Ｂの先端縁に取付部を折曲して取付枠部３２３を折曲形成する。このため、例えば鋼板などを折曲形成する簡単な形状で、遊技機用表示パネル３２２の交換が簡単な構成で容易にできる構成を容易に得ることができる。
【０１５１】
また、取付挿入口３１０Ｂ１を構成する取付枠部３２３の上端縁に、正面上板部３１５に対向する方向と反対側に案内片部３２３Ｅを突設する。このため、取付挿入口３１０Ｂ１に遊技機用表示パネル３２２を挿入する際に案内片部３２３Ｅが遊技機用表示パネル３２２を取付挿入口３１０Ｂ１に案内する状態となり、遊技機用表示パネル３２２の装着が案内片部３２３Ｅを設ける簡単な構成で容易にでき、遊技機用表示パネル３２２の装着性が向上して再利用性も向上する。さらに、案内片部３２３Ｅが取付枠部３２３の上端縁近傍の補強としても機能するため、簡単な構成で取付枠部３２３の強度を容易に向上できる。すなわち、１つの案内片部３２３Ｅを遊技機用表示パネル３２２の装着のガイドと補強とに共用でき、構成を容易に簡略化できる。
【０１５２】
さらに、案内片部３２３Ｅを金属板の折曲形成にて形成される取付枠部３２３の挾持枠部３２３Ａの上端縁に、段差部３２３Ｂが折曲される方向と反対側に折曲形成している。このため、遊技機用表示パネル３２２の装着のガイドおよび補強として機能する案内片部３２３Ｅを一動作で容易に形成することができ、取付枠部３２３の製造性も向上できる。さらに、案内片部３２３Ｅを折曲形成することで、案内片部３２３Ｅの基端における取付挿入口３１０Ｂ１の縁が曲面状となる。このため、遊技機用表示パネル３２２を挿入する際に、遊技機用表示パネル３２２の縁が円滑に取付挿入口３１０Ｂ１に案内されることとなり、遊技機用表示パネル３２２の装着がより容易にできる。
【０１５３】
そして、取付枠部３２３を上端縁が正面上板部３１５の上端縁におれる水平面上に略位置する状態に取り付ける、すなわち略同高さ位置に取り付ける。このため、取付枠部３２３の取付の際に上端縁が取り付ける位置の目安となり取付が容易にでき、取付作業性を向上できる。さらには、取付挿入口３１０Ｂ１が略水平面上となるので、遊技機用表示パネル３２２の装着時の挿入も容易にできる。
【０１５４】
一方、台座板２００上に設置するため、床面に凹凸がある場合でも、筐体３１０に脚部材３１３Ｈを２つ設けて傾き調整する簡単な構成でも確実に安定して設置できる。さらに、床面上に設けたアンカーボルト２６０にて遊技装置３００を固定するため、遊技装置３００を確実に所定の位置に固定できるとともに、台座板２００にアンカーボルト２６０を設けず、床面上に設けたアンカーボルト２６０を台座板２００を貫通させて取り付けるため、台座板２００および遊技装置３００を一括して位置決め固定でき、少ない部材にて確実に位置決め固定でき、位置決め固定の作業工数も低減でき、設置作業性を向上できる。また、一対の脚部材にて傾き調整するため、遊技装置３００の設置が容易にできる。
【０１５５】
そして、遊技装置３００の筐体３１０や遊技媒体貸出装置４００のケース体４１０を改良木材を主体として形成したため、所定の強度を有する構成でも例えば鋼材を用いる構成に比して軽量化でき、取扱が容易で、遊技装置３００や遊技媒体貸出装置４００の組立作業や設置作業が容易にできる。さらには、木材を利用することで、筐体３１０やケース体４１０がひどく損傷してリユースできなくなっても、例えばチップ上に破砕して再び改良木材としてリサイクルしたり、固形燃料や肥料の材料などに利用したりしてもよく、また焼却処理することもできるのでゴミ処理が容易にできる。
【０１５６】
また、筐体３１０をリール表示窓３２９Ａにて遊技内容を視認可能とする面を構成する蓋体３２０が水平面に対して４５°以下すなわち若干傾斜する状態のテーブル型とし、この筐体３１０に演出室３１０Ａを区画する部分を正面上板部３１５や側板部３１１の表示側面部３１１Ｃ、背面板部３１４にて一連に設けて正面上板部３１５にて開口形成する副表示窓３１５Ａが略正面に向いて開口する状態とする。このため、遊技操作が容易なテーブル型の筐体３１０でも、遊技機用表示パネル３２２の遊技内容に関する表示の視認性を確保でき、遊技者に対して遊技内容を確実に報知できる。
【０１５７】
さらに、遊技機用表示パネル３２２を保持する部分を筐体３１０に一体に設けたテーブル型構造としている。このため、遊技装置３００を設置するのみで遊技内容に関する表示をするための遊技機用表示装置を別途設置する必要がなく、設置作業が容易となって設置性を向上できる。
【０１５８】
また、筐体３１０をテーブル型として肘掛け部３１７を設けているため、例えば遊技者が遊技する際に肘掛け部３１７に肘を掛けて遊技することができ、遊技操作が容易にでき、仮に長時間遊技する場合でも遊技者に必要以上に疲労感を与えることもない。そして、肘掛け部３１７により遊技者が肘を掛けた楽な姿勢でゆったり操作できるため、高級感を遊技者に付与することができ、集客性の向上が図れる。さらに、肘掛け部３１７が正面側に最も突出、すなわち、肘掛け部３１７より下方の正面蓋板部３１９が肘掛け部３１７より背面側に窪んだ状態であることから、肘掛け部３１７の下方に遊技者の膝が入り込む状態の姿勢とすることができ、遊技者はより楽な姿勢で長時間の遊技操作ができる。そして、楽な姿勢で容易に操作でき、この姿勢で表示が見やすいテーブル型構造であるので、表示を見やすくするために蓋体３２０の下方に回胴ユニット３７０を収容するユニット室３１０Ｃを区画し、さらにこの下方にコイン貯留室３１０Ｄを区画して正面に向けて開放する状態としているので、筐体３１０内を有効利用でき、効率よく各部材を配置できるとともに、大型となって貯留ホッパ３８２Ａまでの距離が遠くなってもコインタンク３８３にて良好に貯留させることができる。
【０１５９】
さらに、肘掛け部３１７に操作手段を３４０設けているため、より楽な姿勢での操作が容易にできる。そしてさらに、肘掛け部３１７に肘を掛けた姿勢でも容易にリール本体３７２Ｂ３の絵柄を水平面より若干傾斜した面で認識できるテーブル型であることから、遊技者はより楽な姿勢で長時間の遊技操作ができる。また、肘掛け部３１７にクッション部材３１７Ａを設けたため、さらに楽な姿勢で長時間操作することができる。そして、楽な姿勢で遊技操作できるため、遊技の長期化が図れ、遊技装置３００のコスト回収が容易に図れるので、遊技者に還元、すなわち従来より当たりやすく設定してもコスト償却が図れ、遊技者の集客性も向上できる。
【０１６０】
また、遊技装置３００をテーブル型の構成としているため、従来の回胴式遊技機の底面積に対して面積が広いので、単に床面上に設置する構成としてもでき、しかも従来の回胴式遊技機やパチンコ式遊技機のようにいわゆる「島」を設ける必要がなく、遊技装置３００の設置完了までの工程が極めて短縮でき、設置コストも大幅に低減できるとともに、設置の自由度が高く自由な設置ができる。そして、各遊技装置３００に電源ユニット３５０を設けているため、電源線を接続するのみでよく、それぞれ独立して動作させることができ、遊技装置３００の配置自由度が極めて高く、設置性も向上できる。
【０１６１】
さらに、遮蔽板３１１Ｅが着脱可能に装着されて閉塞される連結切欠部３１１Ｄを側板部３１１に設けている。このため、例えば遊技媒体貸出装置４００と連結して遊技システム１００を構成させる場合には遮蔽板３１１Ｅを取り外してコイン受け皿部３１７Ｄが遊技媒体貸出装置４００のコイン受け皿側部４１１Ｂと連通する状態にし、遊技装置３００のみを単独で利用する場合には遮蔽板３１１Ｅにて連結切欠部３１１Ｄを閉塞する状態にすることで、設置状況に応じて簡単な構成で容易に対応でき、汎用性を向上できる。
【０１６２】
そして、底板部３１３に落下排出口３１３Ｃを設け、さらにレール部材３１３Ｄを設けて余剰コイン収容タンク３８５を位置決め配設可能としている。このため、例えば回収コンベアシステムを店舗の床面に設置し、落下排出口３１３Ｃから回収コンベアシステムが臨む状態で余剰のコインＸを自動的に落下排出口３１３Ｃから回収したり、上述したように余剰のコインＸは適宜余剰コイン収容タンク３８５に収容して回収するなどのいずれの場合にも適用でき、汎用性を向上できる。
【０１６３】
さらに、背面板部３１４に把手孔を設けている。このため、遊技装置３００を搬送あるいは設置する際などに把手孔に作業者が手を挿入するとともに、肘掛け部３１７に手を掛けることで遊技装置３００を持ち運ぶことができ、把手孔の他に別途把手を設ける必要がなく、構成を容易に簡略化できる。
【０１６４】
また、背面板部３１４側にコインＸを補給するための供給投入孔３１４Ｄを開口してコインタンク３８３に投入させるシュート部３８１を設けている。このため、例えばコインＸを自動的に搬送して適宜供給投入孔３１４Ｄへ投入して補給させる補給コンベアシステムを遊技者から見えない位置に容易に設置することができ、美観が損なわれることなく、また補給コンベアシステムを覆い隠すための「島」を構成させる部材などが不要で自動化のための構成も簡単な構成で容易に設置することができる。
【０１６５】
そして、一対の側板部３１１、底板部３１３および背面板部３１４にねじ止めなどにより筐体３１０内に補強板部３２１を取り付けている。このため、肘掛け部３１７を設け、高級感を演出するために従来のいわゆる「パチスロ」と称される回胴式遊技機より大型に遊技装置３００を形成して重量が増大する構成となっても、鋼板を折曲した簡単な構造の補強板部３２１を取り付ける簡単な構成で、筐体３１０を再利用に耐え得る十分な強度が容易に得られる。したがって、筐体３１０を設置する際に数人の作業者にて持ち上げられて設置する場合や、吊り下げ装置を用いて移動させる場合など、筐体３１０に歪みが加わっても簡単な構造で損傷することなく、再利用できる。
【０１６６】
さらに、遊技機用表示パネル３２２の下端を筐体３１０の上部仕切板３１６にて支持する構成としている。このため、上部仕切板の周縁が筐体に取り付けられているため、遊技機用表示パネルを落とし込んで装着した際の衝撃が加わるなどしても、上部仕切板３１６が脱落して支持できなくなるなどを防止でき、確実に支持できる。さらに、上部仕切板３１６に通気口を設けたため、下方に配設される主制御基板３７３や副制御基板３７４の冷却効率を向上でき、例えば冷却のために別途冷却ファンなどの冷却装置を設けずとも主制御基板３７３および副制御基板３７４を十分に冷却でき、過熱による誤作動や損傷を防止できる。
【０１６７】
また、遊技機用表示パネル３２２を取り付けるための取付枠部３２３に、演出ユニット３３０の一部、例えば副表示装置３３４や光源、発音手段３３２などが組み付けられる構成となっているため、あらかじめ演出ユニット３３０の一部を組み付けた取付枠部３２３を筐体３１０に取り付けることもでき、遊技装置３００を容易に組立形成できる。さらに、この取付枠部３２３に一体的に装飾部材としてのパンチングメタル３２３Ｉを取り付けているため、別途演出ユニット３３０の一部を保護あるいは目隠しするための部材を筐体に取り付けることなく、あらかじめ取付枠部３２３に取り付けておくことで取付枠部３２３の取付で一括して取り付けられ、遊技装置３００を容易に組立形成できる。さらに、パンチングメタル３２３Ｉが取付枠部３２３を取り付ける際に位置決めとしても機能するので、取付枠部３２３の取付作業をさらに容易にできる。
【０１６８】
そして、上述したように、主表示パネル３２９を交換可能に取付可能な蓋体３２０として、蓋枠体３２０Ａと保持枠体３２０Ｂとにて構成し、正面側が回動する状態に軸支する構成としている。このため、特にテーブル型の遊技装置３００でも、主表示パネル３２９の交換が容易にできる。また、保持枠体３２０Ｂを蓋枠体３２０Ａに取り付ける構成として、蓋枠体３２０Ａに着脱可能に取り付けた取付板３２０Ａ２にねじ止めする構成としている。このため、度重なる再利用で取付板３２０Ａ２がねじ止めできない状態に劣化しても取付板３２０Ａ２のみを交換すればよく、再利用できる構成として例えば蓋枠体３２０Ａにナットなどを溶接してこのナットにねじ止めするなどの製造が煩雑な構成とする必要がなく、またナットを溶接することにより蓋枠体３２０Ａが部分的に歪んで外観が低下したり、歪んだ部分を外観が悪くならないようにさらに加工するなどの作業も不要で、簡単な構成で再利用できる構成が容易に得られ、作業も容易にできる。
【０１６９】
また、遊技に関して動作する回転するリール本体３７２Ｂ３、主制御基板３７３および副制御基板３７４をユニットケース３７１に一体的に組み付けて回胴ユニット３７０を構成し、この回胴ユニット３７０を取り外し可能、すなわち交換可能に筐体３１０内に組み付けできる構成としている。このため、この回胴ユニット３７０を交換することで遊技内容を変更でき、遊技内容に対応する遊技機用表示パネル３２２や主表示パネル３２９を交換するのみで、他の部位や部品、部材はそのまま利用でき、遊技装置３００の再利用が容易にでき、近年問題となっている産業廃棄物を大きく低減、あるいはなくすことができ、遊技装置３００のコストも低減でき、安価に提供できる。
【０１７０】
さらに、回胴ユニット３７０として、リール本体３７２Ｂ３を回転可能に軸支する複数のリール部材３７２Ｂをリールボックス３７２Ａに一体的に組み付けてリールユニット３７２を構成し、回胴ユニット３７０のユニットケース３７１に対して着脱可能に筐体３１０内に組み付けできる構成としている。このため、遊技内容は変更しないがデザインのみ変更する場合には、回胴ユニット３７０の全体を交換することなくリールユニット３７２のみを交換すればよく、回胴ユニット３７０の他の部品はそのまま利用でき、再利用が容易にでき、産業廃棄物の低減あるいはなくすことができるとともに、遊技装置３００のコストの低減も容易にできる。
【０１７１】
さらには、リールユニット３７２として、リール部材３７２Ｂをそれぞれ着脱可能に構成しているため、リール本体３７２Ｂ３を交換する場合には、回胴ユニット３７０やリールユニット３７２の全体を交換する必要がなく、リール部材３７２Ｂを取り外してリール本体３７２Ｂ３を交換すればよく、さらに再利用性を向上できる。また、このリール部材３７２Ｂをそれぞれ着脱可能とする構成により、リール部材３７２Ｂ間がリール表示窓３２９Ａから見えて美観が損なわれることを防止するために、シールド部材３７２Ｃを着脱可能に設けている。このため、美観を損なうことなくリール部材３７２Ｂを着脱可能とする構成が容易に得られる。さらに、シールド部材３７２Ｃとリール部材３７２Ｂとの取付が同様な形状で同方向から同様の作業により着脱させる構成、すなわちリールボックス３７２Ａのリール取付片３７２Ａ１にねじ止めする構成としている。このため、リール部材３７２Ｂの着脱作業も容易にできる。また、リール部材３７２Ｂを着脱可能に取り付けてリールユニット３７２を構成させるリールボックス３７２Ａに配線のための配線孔３７２Ａ２を設け、この配線孔３７２Ａ２を介して主制御基板３７３にリール部材３７２Ｂから導出するリード線などを接続する構成としたため、リール部材３７２Ｂの筐体３１０内への配置および配線が容易にできる。
【０１７２】
そして、リール本体３７２Ｂ３として、モータ３７２Ｂ２、回転位置検出手段３７２Ｂ４および投光手段３７２Ｂ５を取付支持板部３７２Ｂ１に一体的に組み付け、リール本体３７２Ｂ３をモータ３７２Ｂ２から着脱可能に取り付ける構成としている。このため、リール本体３７２Ｂ３のみを容易に着脱できることから、リール本体３７２Ｂ３のみの交換が容易で、改修作業が容易にできる。また、モータ３７２Ｂ２の出力軸３７２Ｂ２ａにリール取付治具３７２Ｂ６を取り付け、このリール取付治具３７２Ｂ６にリール本体３７２Ｂ３を着脱可能に取り付ける構成としている。このため、さらにリール本体３７２Ｂ３の取り外し、交換が容易にできるとともに、リール本体３７２Ｂ３を所定の位置に取り付けることが容易にでき、リール本体３７２Ｂ３の取り付け作業が容易にできる。したがって、リール本体３７２Ｂ３の取り付け誤差により遊技の動作不良、リール本体３７２Ｂ３の回転の際に他の部位に接触して損傷が生じることなども防止でき、良好な動作が容易に得られる。
【０１７３】
また、回胴ユニット３７０の主制御基板３７３が取り付けられるユニット載置板３１８として、主制御基板３７３に対応する位置が基板載置板部３１８Ｂにて起き上がる傾斜した状態に構成、すなわち回胴ユニット３７０のユニットケース３７１として、主制御基板３７３を取り付ける基板取付部３７１Ｄが本体面部３７１Ａに対して起き上がる傾斜した状態としている。このため、蓋体３２０を回動して開口する作業開口３１０Ｃ１から主制御基板３７３が容易に認識でき、主制御基板３７３の検閲などの主制御基板３７３が取り付けられた状況を確認する作業なども容易にできる。
【０１７４】
さらに、演出ユニット３３０や蓋体３２０に取り付ける回路基板３２０Ｄなどは、そのまま筐体３１０の一部として再利用できる構成とし、遊技に関する動作を制御する構成として主制御基板３７３および副制御基板３７４の別体としている。このため、特に演出のための副制御基板３７４は回路構成を変更する必要がほとんどなく、副制御基板３７４をそのまま再利用することも可能となり、主制御基板３７３および副制御基板３７４が一体の構成のものに比して再利用性をさらに向上できる。
【０１７５】
また、遊技媒体搬入出ユニット３８０に作業開口３１０Ｃ１に臨んでコインタンク３８３にコインＸを補給する補給ホッパ３８４を備えた構成としている。このため、遊技者が遊技している場合でも、単に蓋体３２０を回動して作業開口３１０Ｃ１を開口させるのみで補給でき、遊技者が椅子から立ち上がるなどして遊技者が移動する必要なく容易にコインＸの補給ができる。そして、補給ホッパ３８４は、下部の落下案内部３８４Ｂを補給ホッパ支持板３２７の貫通孔３２７Ａ１に挿入し、ねじ止めするためのねじ止め爪部３８４Ｄを工具孔の下方に位置する状態で設けた構成としているため、簡単な構成で補給ホッパ３８４を容易に組み付けることができる。また、補給ホッパ３８４は、ユニット載置板３１８上に設置された回胴ユニット３７０のリール本体３７２Ｂ３の正面側となる下部の一部を覆う状態で取り付けられるため、例えば別途蓋体３２０の保持枠体３２０Ｂにリール本体３７２Ｂ３の絵柄が所定の領域のみリール表示窓３２９Ａから視認できるようにするための目隠しとなる目隠し板３２０Ｂ２をさらに設ける必要がなく補給ホッパ３８４にて共用させることができ、構成の簡略化が容易に図れる。
【０１７６】
さらに、補給ホッパ３８４を作業開口３１０Ｃ１からコインＸの補給が可能に配設するための補給ホッパ支持板３２７に、作業開口３１０Ｃ１を開閉可能に閉塞するための第２の施錠装置３２０Ｅが係脱可能に係合する第２の錠係脱孔３２７Ｄ１を設けている。このため、補給ホッパ支持板３２７にて蓋体３２０の開閉のための施錠構造を共有化させることができ、構成を容易に簡略化でき、製造作業性の向上や製造コストの低減を容易に図ることができる。さらに、この補給ホッパ支持板３２７の一縁でも第２の施錠装置３２０Ｅのフック部３２０Ｅ３を係脱可能に係合させる構成としたため、より確実で歪み無く安定して施錠され、この安定して施錠させる構成の簡略化も容易にできる。
【０１７７】
また、コインタンク３８３を着脱可能に取り付けるため、例えば遊技媒体搬入出ユニット３８０の排出装置３８２Ｂとして、従来の「パチスロ」と称される回胴式遊技機に用いられる小型の排出装置を利用しても各位置からのコインＸの回収および排出ができ、コインＸを貯留する貯留ホッパ３８２Ａが大型の特別な排出装置３８２Ｂを利用する必要がなく、コストの低減を容易に図ることができる。そして、このコインタンク３８３は、折曲形成した吊り下げ爪部３８３Ｄにて吊り下げ支持する構成であることから、簡単な構成で着脱可能にコインタンク３８３を装着する構成が得られ、コインタンク３８３の製造作業性の向上および製造コストの低減が容易に得られる。さらに、コインタンク３８３に断面略Ｌ字状の支持板部３８３Ｋを設け、この支持板部３８３Ｋにコインタンク３８３を位置決め支持する位置決め係止爪３８３Ｋ１を設けるため、着脱可能なコインタンク３８３を確実に位置決めして安定して支持固定する構成が簡単な構成で容易に得られ、製造作業性の向上および製造コストの低減が容易に得られるとともに、コインタンク３８３の着脱が容易にでき、例えば排出装置３８２Ｂやガイド部３８２Ｃの保守点検や交換などが容易にできる。
【０１７８】
そして、遊技媒体貸出装置４００を遊技装置３００と側面視で同様の形状に形成したため、複数一列に配置する場合に遊技装置３００と遊技媒体貸出装置４００とで凹凸なる部分が生じず一連となり、美観を向上できる。また、遊技媒体貸出装置４００のコイン受け皿側部４１１Ｂを遊技装置３００のコイン受け皿部３１７Ｄに連続するように側面から突出して構成しているため、遊技装置３００と遊技媒体貸出装置４００とを密着する状態で設置した際にコインＸの受け皿部分が略一連となってほぼ段差が生じず、コインＸの取出が容易にできるとともに、美観が損なわれることも防止できる。
【０１７９】
また、遊技装置３００のコイン受け皿部３１７Ｄおよび遊技媒体貸出装置４００のコイン受け皿側部４１１Ｂに跨ってコイン取出用ボックス５００が着脱可能に装着されている。このため、遊技装置３００から返却されるコインＸや異物あるいは払い出されるコインＸ、さらには遊技媒体貸出装置４００から貸し出されるコインＸなどを取り出す際、コイン取出用ボックス５００全体を取り出し、この取り出したコイン取出用ボックス５００からコインＸなどを取り出し、コイン取出用ボックス５００を再び装着すればよく、コインＸなどの取り出しが容易となり、遊技者の利用が容易となる。また、コインＸを収容したコイン取出用ボックス５００を持ち運ぶことで、コインＸの持ち運びも容易となり、コインＸを取り落として紛失するなども防止できる。これらのことにより、遊技者の遊技意欲の減退の防止も容易に図ることができる。さらに、コイン取出用ボックス５００を装着することで、コインＸの払い出しなどの際にコイン受け皿部３１７Ｄやコイン受け皿側部４１１ＢにコインＸの落下にて加わる衝撃を低減でき、コイン受け皿部３１７Ｄやコイン受け皿側部４１１ＢあるいはコインＸ自体の損傷も防止でき、リユース性が向上してコストの低下も容易に図ることができる。
【０１８０】
〔他の実施の形態〕
なお、本発明の遊技システムにおいて、上述した一実施の形態にのみ限定されるものではなく、本発明の要旨を逸脱しない範囲内において種々変更を加え得ることは勿論である。
【０１８１】
例えば、遊技装置３００と遊技媒体貸出装置４００とを組み合わせて１つの遊技システム１００とし、この遊技システム１００を例えば一列に配置させて説明したが、例えば図２２に示すように、遊技装置３００のみを一列に配置するなど、遊技媒体貸出装置４００と一体に利用しなくてもよい。この場合には、側板部３１１の連結切欠部３１１Ｄを図６および図８ないし図１１に示すように、遮蔽板３１１Ｅにて閉塞させておく。また、他の構成の遊技媒体貸出装置と組み合わせて利用してもよい。
【０１８２】
そして、台座板２００上に組み付けて説明したが、台座板２００を用いず、直接店舗の床面上に設置してもよい。また、床面上に設置したアンカーボルト２６０を用いて位置決め固定したが、位置決め固定する方法は、いずれの方法でもできる。例えば、床面上に直接台座板２００を埋設あるいは接着にて固定し、この固定した台座板２００にさらに遊技装置３００を一体的に取り付けたり、遊技装置３００を直接床面上に接着したり、床面に遊技装置３００の底面と略同形状の凹部を設けて、その凹部内に遊技装置３００の下端部分を挿入して位置決めしたり、直接床面に遊技装置３００の下端部分を埋設するなどしてもよく、さらにはアンカーボルト２６０に代えていずれの治具を用いて床面上に固定してもよい。
【０１８３】
遊技装置３００として、テーブル型で説明したが、リール本体３７２Ｂ３が臨むリール表示窓３２９Ａが上下方向に略沿う従来の回胴式遊技機の形状のものやスロットマシンなどでも適用でき、いわゆる「島」構造体に組み付ける構成としてもよい。また、回胴ユニット３７０などを適宜取り外し可能に構成したが、筐体３１０内に組み付けた構成としてもよい。なお、リール本体３７２Ｂ３や主制御基板３７３、副制御基板３７４、主表示パネル３２９、遊技機用表示パネル３２２を適宜交換可能とする構成にすることで、遊技内容を変更できることから頻繁に実施される新台の導入や面替え導入に対応させても廃棄物を大きく低減およびなくすことができるので好ましい。
【０１８４】
さらに、テーブル型の遊技装置３００として、側板部３１１の表示側面部３１１Ｃの部分で上下方向に分離させて内部に演出室３１０Ａを有する遊技機用表示装置として別体構造とし、分離した遊技装置３００の上方に位置する状態で遊技機用表示装置を設けるようにしてもよい。この遊技機用表示装置においても遊技機用表示パネル３２２を上下方向で装着させるようにするとよい。
【０１８５】
そして、筐体３１０は、上記側板部３１１や天板部３１２などにて構成する以外、いずれの形状の部材を用いて構成してもよい。例えば鋼板を適宜折曲した部材を用いた略箱形状にしたものでもよく、改良木材を主体とした構成としなくてもよい。また、例えば天板部３１２は、上述した形状に限られるものではなく、筐体３１０の上面を開閉可能に閉塞するいずれの形状でもよい。
【０１８６】
また、筐体３１０に脚部材３１３Ｈを設けない構成として単に床面上に設置する構成としてもよい。また、筐体３１０に設ける代わりに台座板２００に脚部材３１３Ｈを設けてもよい。さらに、脚部材３１３Ｈは２個に限らず１つのみあるいは３個以上の複数設けてもよい。また、傾きを調整する構成としては、この脚部材３１３Ｈ以外のいずれの構造のものを用いたり、単に楔を打ち込む構成とするなどしてもよい。
【０１８７】
遊技機用表示パネル３２２の下端を上部仕切板３１６にて支持する構成について説明したが、例えば取付枠部３２３の設置板部３２３Ｆに対して反対側に舌片状に切り起こしなどにより形成して遊技機用表示パネル３２２の下端部分を取付枠部３２３自体で支持する構成としてもよい。さらに、上部仕切板３１６を設けず、取付枠部３２３の下縁で取付枠部３２３と正面上板部３１５との間の開口の少なくとも一部を閉塞する部材を正面上板部３１５の内面に設け、この部材にて支持してもよい。なお、取付枠部３２３に舌片状に設けた構成の先端や正面上板部３１５に設けた部材の先端部分を取付枠部３２３および正面上板部３１５間で互いに支持する構成とすることで、遊技機用表示パネル３２２の支持力を容易に向上できるので、このなうに互いに支持させる構成とすることが好ましい。
【０１８８】
さらに、正面上板部３１５を正面に向けて副表示窓３１５Ａが開口する状態に垂直面である鉛直方向に沿った面に平行となる状態で形成したが、若干下方に向けて開口するなどの傾斜した状態に形成してもよい。すなわち若干傾斜して設けることで遊技者に対して略垂直に対面する状態とすることができ、より表示内容の視認性を向上できる。
【０１８９】
取付枠部３２３に演出ユニット３３０の一部を取り付ける構成で説明したが、筐体３１０自体に取り付けたり、照明装置３３１も取付枠部３２３に配設して演出ユニット３３０の全体を取付枠部３２３に設ける構成とするなどしてもよい。さらには、演出ユニット３３０を設けなくてもよい。また、筐体３１０の正面蓋板部３１９にて閉塞される位置にもスピーカなどの発音手段３１１Ｆを設けて説明したが、さらに複数設けたり、設けなくてもよい。
【０１９０】
さらに、取付枠部３２３としては、上述した金属板を折曲形成する構成に限らず、いずれの形状でもできる。例えば案内片部３２３Ｅを設けない構成、挾持枠部３２３Ａとして投光窓３２３Ａ１を有しない構成、案内片部３２３Ｅの基端を故意的に曲面状に形成したり曲面状とする代わりに基端に傾斜面を設ける構成など、取付挿入口３１０Ｂ１を開口する保持空間３１０Ｂを区画して遊技機用表示パネル３２２を保持可能ないずれの形状とすることができる。
【０１９１】
そして、回胴ユニット３７０は、上述した構成に限られない。例えば、ユニットケース３７１を用いず、リールユニット３７２や主制御基板３７３、副制御基板３７４を直接ユニット載置板３１８に取り付けたり、リール部材３７２Ｂを直接ユニット載置板３１８に取り付けたり、リール部材３７２Ｂとしてそれぞれ取り外しできず、３つのリール本体３７２Ｂ３を一体的に回転可能に組み付けた構成にてリールユニットを構成するなど、いずれかの構成としてもよい。さらには、ユニット載置板３１８を設けず、回胴ユニット３７０やリールユニット３７２、主制御基板３７３や副制御基板３７４などを筐体３１０の内面、例えば側板部３１１や背面板部３１４などに直接取り付け固定したり、ユニット載置板３１８の代わりに他の取付部材を用いて取り付けるなどしてもよい。
【０１９２】
さらに、リール部材３７２Ｂについても上述した構成に限られない。例えばリール本体３７２Ｂ３にリール取付治具３７２Ｂ６を一体に設け、このリール取付治具３７２Ｂ６をモータ３７２Ｂ２の出力軸３７２Ｂ２ａに取り付けてリール本体３７２Ｂ３を組み付けたり、回転位置検出手段３７２Ｂ４としてフォトセンサを利用する構成に限らず、磁気センサなどを用いたり、リール部材３７２Ｂに回転位置検出手段３７２Ｂ４を設けずリールボックス３７２Ａに配設してリール本体３７２Ｂ３の回転状況を検出するなどとしてもよい。また、リール本体３７２Ｂ３を回転させる構成としては、モータ３７２Ｂ２の出力軸３７２Ｂ２ａにリール本体３７２Ｂ３の中心部分を軸支して回転させる構成に限らず、例えばリール本体３７２Ｂ３の外周部分をローラなどにて転動させて回転させたり、複数の歯車を用いて回転させる構成にするなどしてもよい。さらには、絵柄フィルム３７２Ｂ３ｃの印刷として磁気インキを用い、この磁気インキ部分を検出することでリール本体３７２Ｂ３の回転状況を検出するなどとしてもよい。また、絵柄フィルム３７２Ｂ３ｃを投光手段３７２Ｂ５にて照光させる構成としたが、例えば絵柄フィルム３７２Ｂ３ｃをＥＬにて形成して自己発光させる構成とするなどしてもよい。
【０１９３】
遊技媒体搬入出ユニット３８０としては、上述した構成に限らず、例えばコインタンク３８３や余剰コイン収容タンク３８５、補給ホッパ３８４、シュート部３８１などを備えない構成とするなどしてもよい。そして、例えば一列に配置した遊技システム１００の背面側にコインＸを搬送し適宜背面板部３１４からシュート部３８１にコインＸを自動的に補給する補給コンベアシステムを用いてもよい。この補給コンベアシステムを用いることで、補給ホッパ３８４から適宜店員がコインＸを補給する必要がなく、遊技装置３００の自動化が容易に図れる。また、補給ホッパ３８４を筐体３１０内に配設しなくてもよくなるので、部品点数の削減ができ、遊技装置３００の製造性の向上やコストの低減ができる。なお、補給コンベアシステムなどにより背面側からシュート部３８１にてコインＸを供給する構成とする場合には、シュート部３８１や背面板部３１４に供給投入孔３１４Ｄを設けなくてもよい。
【０１９４】
さらに、例えば店舗の床面、すなわち遊技システム１００の下方に、余剰のコインＸを回収する回収コンベアシステムを配設する構成としてもよい。この回収コンベアシステムを用いる場合には、底板部３１３の落下排出口３１３Ｃをレール部材３１３Ｄにて閉塞させずに開口させ、回収コンベアシステムが台座板２００の連通開口２５０を介して臨む状態とする。具体的には、レール部材３１３Ｄや余剰コイン収容タンク３８５を設けない、あるいはレール部材３１３Ｄや余剰コイン収容タンク３８５に底板部３１３の落下排出口３１３Ｃおよび台座板２００の連通開口２５０に対応する開口を設け、コインタンク３８３から排出、あるいはコイン判別手段３８６から投入されたコインＸを落下排出口３１３Ｃから連通開口２５０を介して回収コンベアシステムにて回収させる。このことにより、余剰コイン収容タンク３８５に回収した余剰のコインＸを店員にて回収する必要がなく、自動化が容易に図れる。なお、この構成において、連通開口２５０に対応する開口を有した余剰コイン収容タンク３８５を用いるとよい。この構成により、コインタンク３８３から排出されるコインＸを連通開口２５０を介して回収コンベアシステムで回収させることが確実にできる。また、この回収コンベアシステムを用いない構成では、底板部３１３に落下排出口３１３Ｃを設けず、また台座板２００に連通開口２５０を設けなくてもよい。
【０１９５】
そして、電源ユニット３５０を設けて説明したが、電源ユニット３５０を設けず、直接商用交流電源を遊技装置３００に供給するための電源線を接続するなどしたり、例えば蓄電池などを設けて外部から常時電力を供給させない構成としたり、発電機を有しこの発電機からの電力により動作するなど、電力の供給方法はいずれかの方法でもできる。
【０１９６】
さらに、遊技状況検出手段３６０を設けなくてもよい。すなわち、コインＸの払出量や回収量を認識しない構成としてもよい。
【０１９７】
また、蓋体３２０の第２の施錠装置３２０Ｅが係脱する補給ホッパ支持板３２７の第２の錠係脱孔３２７Ｄ１の構成や肘掛け部３１７の錠取付板３１７Ｂの錠係脱孔に係脱する正面蓋板部３１９の第１の施錠装置３１９Ａの構成は上述の構成に限らず、いずれの施錠機構を適用することができる。また、正面蓋板部３１９は、特に余剰のコインＸを回収コンベアシステムにて回収する構成を利用する場合など、開閉可能ではなくねじ止めするなどしてもよい。すなわち、回収コンベアシステムを利用する場合、余剰のコインＸを収容する余剰コイン収容タンク３８５を取り出して余剰のコインＸを回収する必要がないことから、実施頻度が低い遊技媒体搬入出ユニット３８０の保守点検や交換などの場合には正面蓋板部３１９のねじ止めを外せばよい。
【０１９８】
さらに、蓋体３２０を開閉可能としたが、蓋体３２０についてもねじ止めなどしてもよい。なお、コインＸの補給は補給コンベアシステムを利用したり、正面蓋板部３１９を取り外してコインタンク３８３が外方に臨む状態としてコインタンク３８３に直接補給するようにしたり、肘掛け部３１７を補給ホッパ３８４が臨む状態に開閉可能とするなどしてもよい。また、蓋体３２０を蓋枠体３２０Ａおよび保持枠体３２０Ｂにて構成し、主表示パネル３２９を交換可能としたが、この構成に限らず、例えば主表示パネル３２９を蓋体３２０として開閉可能に筐体３１０に取り付けたり、主表示パネル３２９を一体的に筐体３１０に組み付けるなどしてもよい。さらに、蓋体３２０にコイン投入ガイド部材３２０Ａ４を設けて説明したが、例えば肘掛け部３１７に設けるなど、他の位置に設けてもよい。
【０１９９】
また、主表示パネル３２９を例えばアクリル板にて板状に構成して説明したが、主表示パネル３２９を単に透明な板状としてリール表示窓３２９Ａの対応する開口を蓋体３２０に開口形成させ、単にこのリール表示窓３２９Ａを閉塞する構成としてその他の印刷や表示内容は別途蓋体３２０に設けてもよい。そして、表示としては、液晶やＥＬ（Ｅｌｅｃｔｒｏ  Ｌｕｍｉｎｅｓｃｅｎｃｅ）などを利用してもよい。
【０２００】
さらに、遊技機用表示パネル３２２を設けない構成としてもよい。また、遊技機用の表示として、遊技機用表示パネル３２２を用いず液晶やＥＬなどの表示装置を用いて表示させるなどしてもよい。
【０２０１】
また、作業開口３１０Ｃ１を平面上に開口するテーブル型の筐体３１０を用いて説明したが、作業開口３１０Ｃ１が若干曲面状となるように筐体３１０を形成し、この曲面に対応して蓋体３２０を曲面状に形成してもよい。さらには、主表示パネル３２９のリール表示窓の部分をリール本体３７２Ｂ３の外周面に対応して円弧状に形成したり、主表示表示パネル３２９や遊技機用表示パネル３２２の全体を曲面状に形成してもよい。なお、遊技機用表示パネル３２２を曲面状とする場合には、保持空間も対応して曲面形状となるように筐体３１０や取付枠部３２３を形成する必要がある。
【０２０２】
一方、遊技媒体貸出装置４００としては、上述した構成に限らず、いずれの構成としてもよい。例えば、遊技媒体貸出装置４００は、遊技装置３００と側面視で同形状に形成しなくてもよい。さらに、従来の回胴式遊技機で利用される遊技媒体貸出装置などを利用するなどしてもよい。また、遊技装置３００内に遊技媒体貸出装置４００を一体に組み込んで構成してもよい。この場合には、遊技装置３００と遊技媒体貸出装置４００とを連結する必要がなく、遊技システム１００の設置がより容易となる。また、遊技装置３００の右側に遊技媒体貸出装置４００が位置するように構成したが、遊技媒体貸出装置４００が正面から見て左側に位置する状態で連結、すなわちコイン受け皿部３１７Ｄを肘掛け部３１７の正面から見て左側に位置するように配設し、左側で遊技媒体貸出装置４００のコイン受け皿側部４１１Ｂが連結するように構成してもよい。
【０２０３】
その他、本発明の実施の際の具体的な構造および手順などは、本発明の目的を達成できる範囲で他の構成に変更するなどしてもよい。
【０２０４】
【発明の効果】
本発明によれば、表示パネルを着脱可能に装着して作業開口を開閉可能に閉塞する蓋体を、作業開口に対して回動可能な蓋枠体と、蓋枠体の回動方向に沿って蓋枠体の裏面に対して相対的に回動可能な保持枠体とにて挾持させる構成とするため、作業開口を開閉させる方向で蓋枠体と保持枠体とを相対的に回動させる容易な操作で、表示パネルの挾持および挾持の解除が得られ、表示パネルを容易に着脱できる。
【図面の簡単な説明】
【図１】本発明の一実施の形態における台座板を省略した遊技システムを示す斜視図である。
【図２】前記一実施の形態における台座板を省略した遊技システムを示す正面図である。
【図３】前記一実施の形態における一部を省略した遊技システムを示す分解斜視図である。
【図４】前記一実施の形態における遊技装置を示す正面図である。
【図５】前記一実施の形態における遊技装置を示す左側側面図である。
【図６】前記一実施の形態における遊技装置を示す右側側面図である。
【図７】前記一実施の形態における遊技装置を示す背面図である。
【図８】前記一実施の形態における遊技装置を示す平面図である。
【図９】前記一実施の形態における遊技装置の蓋体を開放した状態を示す斜視図である。
【図１０】前記一実施の形態における遊技装置の正面蓋板部を取り外した状態を示す分解斜視図である。
【図１１】前記一実施の形態における蓋体を開放し正面蓋板部を取り外した状態の遊技装置を示す斜視図である。
【図１２】前記一実施の形態における遊技装置を示す側面断面図である。
【図１３】前記一実施の形態における取付枠部と筐体との関係を示す分解斜視図である。
【図１４】前記一実施の形態における補給ホッパと補給ホッパ支持板との関係を示す斜視図である。
【図１５】前記一実施の形態における蓋体を示す分解斜視図である。
【図１６】前記一実施の形態における回胴ユニットを示す斜視図である。
【図１７】前記一実施の形態におけるリールユニットを示す分解側断面図である。
【図１８】前記一実施の形態における一部を切り欠いたリール部材を示す側面図である。
【図１９】前記一実施の形態におけるコイン貸出機と配給シュート部との関係を示す斜視図である。
【図２０】前記一実施の形態における配給シュート部近傍における一部を切り欠いた遊技媒体貸出装置を示す正面断面図である。
【図２１】前記一実施の形態におけるコイン取出用ボックスを示す斜視図である。
【図２２】本発明の他の実施の形態における遊技システムを示す斜視図である。
【符号の説明】
３００      遊技装置
３１０      筐体
３１０Ｃ１  作業開口
３２０      蓋体
３２０Ａ    蓋枠体
３２０Ａ２  取付板
３２０Ｂ    保持枠体
３２０Ｂ３  収容凹部としての装着凹部
３２０Ｄ１  表示装置
３２０Ｅ    施錠手段としての第２の施錠装置
３２９Ａ    表示窓としてのリール表示窓
３７０      遊技ユニットとしての回胴ユニット
３２７Ｄ１  施錠係合部としての第２の錠係脱孔
【図１】
2004275441.tif 000003
【図２】
2004275441.tif 000004
【図３】
2004275441.tif 000005
【図４】
2004275441.tif 000006
【図５】
2004275441.tif 000007
【図６】
2004275441.tif 000008
【図７】
2004275441.tif 000009
【図８】
2004275441.tif 000010
【図９】
2004275441.tif 000011
【図１０】
2004275441.tif 000012
【図１１】
2004275441.tif 000013
【図１２】
2004275441.tif 000014
【図１３】
2004275441.tif 000015
【図１４】
2004275441.tif 000016
【図１５】
2004275441.tif 000017
【図１６】
2004275441.tif 000018
【図１７】
2004275441.tif 000019
【図１８】
2004275441.tif 000020
【図１９】
2004275441.tif 000021
【図２０】
2004275441.tif 000022
【図２１】
2004275441.tif 000023
【図２２】
2004275441.tif 000024